(57)【要約】リンクパフォーマンスにおけるトランジェントに起因する劣化を最小化しながら、ＵＥにおける非同期の自律的受信ビーム切り替えを可能にするために、ワイヤレス通信のための方法、装置、およびコンピュータ可読媒体が提供される。装置は、異なるシンボル中の異なる受信ビーム上でＣＳＩ−ＲＳを受信することと、ここにおいて、１つの受信ビームは、現在のサービング受信ビームである、  異なる受信ビームについてのＳＰＥＦＦメトリックおよび／またはチャネル中での予想されるＣＱＩ／ＭＣＳ劣化に関して認定された潜在的なリンクトランジェントの深刻度に基づいて、異なる受信ビームに切り替えるかどうかを決定することとを行う。装置は、現在のサービング受信ビームについての第１のチャネル品質が第２の受信ビームについての第２のチャネル品質の閾値内にあるときに、現在のサービング受信ビームから第２の受信ビームに切り替え得、第２のチャネル品質は、現在の構成を使用して測定される。【選択図】図９
2021512540.tif 000002
【特許請求の範囲】
【請求項１】
トランジェント時間持続時間を最小化するためのユーザ機器（ＵＥ）におけるワイヤレス通信の方法であって、
異なるシンボル中の異なる受信ビーム上でチャネル状態情報基準信号（ＣＳＩ−ＲＳ）を受信することと、ここにおいて、少なくとも１つの受信ビームは、現在のサービング受信ビームである、
前記現在のサービング受信ビームについての第１の測定値を、前記異なる受信ビームの中からの第２の受信ビームについての第２の測定値と比較することと、
前記現在のサービング受信ビームについての第１のチャネル品質が前記第２の受信ビームについての第２のチャネル品質の閾値内にあるときに、前記第２の受信ビームに切り替えることと、前記第２のチャネル品質は、現在の構成を使用して測定される、
を備える、方法。
【請求項２】
前記第２の受信ビームの前記第２のチャネル品質が前記現在のサービング受信ビームの前記第１のチャネル品質未満である場合、前記第２の受信ビームで取得されたリンクのためのチャネル状態フィードバック（ＣＳＦ）レポーティング機会後に前記第２の受信ビームへの切り替えをスケジュールすること
を更に備える、請求項１に記載の方法。
【請求項３】
前記ＵＥは、受信ビーム切り替えのためのタイマが前記ＣＳＦレポーティング機会の前に満了する場合、前記現在のサービング受信ビームを使用し続ける、請求項２に記載の方法。
【請求項４】
前記第２の受信ビームに切り替えるより前に、基地局に更新されたＣＳＦレポートをレポートすること
を更に備える、請求項２に記載の方法。
【請求項５】
前記第２の受信ビームについての前記第２の測定は、前にレポートされたチャネル状態フィードバック（ＣＳＦ）または前のダウンリンク割り振りに基づいて、前記現在の構成を使用して行われる、請求項１に記載の方法。
【請求項６】
前記ＵＥは、現在のプリコーディング行列インジケータ（ＰＭＩ）および現在のランクインジケータ（ＲＩ）構成に結合された前記第２の受信ビームについての第２の受信ビームチャネル品質インジケータ（ＣＱＩ）が前記現在のサービング受信ビームについての現在のサービング受信ビームＣＱＩより高い品質を有するときに、前記第２の受信ビームに切り替える、請求項１に記載の方法。
【請求項７】
前記ＵＥは、前記現在のサービング受信ビームについての前記第１のチャネル品質が前記第２の受信ビームの前記第２のチャネル品質の前記閾値内にあることに加えて、前記第２の受信ビームについての前記第２の測定値が前記現在のサービング受信ビームについての前記第１の測定値より高い品質を示すときに、前記第２の受信ビームに切り替える、請求項１に記載の方法。
【請求項８】
前記第１の測定値および前記第２の測定値は、スペクトル効率メトリックに基づく、請求項１に記載の方法。
【請求項９】
トランジェント時間持続時間を最小化するためのユーザ機器（ＵＥ）におけるワイヤレス通信のための装置であって、
異なるシンボル中の異なる受信ビーム上でチャネル状態情報基準信号（ＣＳＩ−ＲＳ）を受信するための手段と、ここにおいて、少なくとも１つの受信ビームは、現在のサービング受信ビームである、
前記現在のサービング受信ビームについての第１の測定値を、前記異なる受信ビームの中からの第２の受信ビームについての第２の測定値と比較するための手段と、
前記現在のサービング受信ビームについての第１のチャネル品質が前記第２の受信ビームについての第２のチャネル品質の閾値内にあるときに、前記第２の受信ビームに切り替えるための手段と、前記第２のチャネル品質は、現在の構成を使用して測定される、
を備える、装置。
【請求項１０】
前記第２の受信ビームの前記第２のチャネル品質が前記現在のサービング受信ビームの前記第１のチャネル品質未満である場合、前記第２の受信ビームで取得されたリンクのためのチャネル状態フィードバック（ＣＳＦ）レポーティング機会後に前記第２の受信ビームへの切り替えをスケジュールするための手段
を更に備える、請求項９に記載の装置。
【請求項１１】
前記ＵＥは、受信ビーム切り替えのためのタイマが前記ＣＳＦレポーティング機会の前に満了する場合、前記現在のサービング受信ビームを使用し続ける、請求項１０に記載の装置。
【請求項１２】
前記第２の受信ビームに切り替えるより前に、基地局に更新されたＣＳＦレポートをレポートするための手段
を更に備える、請求項１０に記載の装置。
【請求項１３】
前記第２の受信ビームについての前記第２の測定は、前にレポートされたチャネル状態フィードバック（ＣＳＦ）または前のダウンリンク割り振りに基づいて、前記現在の構成を使用して行われる、請求項９に記載の装置。
【請求項１４】
前記ＵＥは、現在のプリコーディング行列インジケータ（ＰＭＩ）および現在のランクインジケータ（ＲＩ）構成に結合された前記第２の受信ビームについての第２の受信ビームチャネル品質インジケータ（ＣＱＩ）が前記現在のサービング受信ビームについての現在のサービング受信ビームＣＱＩより高い品質を有するときに、前記第２の受信ビームに切り替える、請求項９に記載の装置。
【請求項１５】
前記切り替えるための手段は、前記現在のサービング受信ビームについての前記第１のチャネル品質が前記第２の受信ビームの前記第２のチャネル品質の前記閾値内にあることに加えて、前記第２の受信ビームについての前記第２の測定値が前記現在のサービング受信ビームについての前記第１の測定値より高い品質を示すときに、前記第２の受信ビームに切り替える、請求項９に記載の装置。
【請求項１６】
前記第１の測定値および前記第２の測定値は、スペクトル効率メトリックに基づく、請求項９に記載の装置。
【請求項１７】
トランジェント時間持続時間を最小化するためのユーザ機器（ＵＥ）におけるワイヤレス通信のための装置であって、
メモリと、
前記メモリに結合され、
異なるシンボル中の異なる受信ビーム上でチャネル状態情報基準信号（ＣＳＩ−ＲＳ）を受信することと、ここにおいて、少なくとも１つの受信ビームは、現在のサービング受信ビームである、
前記現在のサービング受信ビームについての第１の測定値を、前記異なる受信ビームの中からの第２の受信ビームについての第２の測定値と比較することと、
前記現在のサービング受信ビームについての第１のチャネル品質が前記第２の受信ビームについての第２のチャネル品質の閾値内にあるときに、前記第２の受信ビームに切り替えることと、前記第２のチャネル品質は、現在の構成を使用して測定される、
を行うように構成された少なくとも１つのプロセッサと
を備える、装置。
【請求項１８】
前記少なくとも１つのプロセッサは、
前記第２の受信ビームの前記第２のチャネル品質が前記現在のサービング受信ビームの前記第１のチャネル品質未満である場合、前記第２の受信ビームで取得されたリンクのためのチャネル状態フィードバック（ＣＳＦ）レポーティング機会後に前記第２の受信ビームへの切り替えをスケジュールすること
を行うように更に構成される、請求項１７に記載の装置。
【請求項１９】
前記ＵＥは、受信ビーム切り替えのためのタイマが前記ＣＳＦレポーティング機会の前に満了する場合、前記現在のサービング受信ビームを使用し続ける、請求項１８に記載の装置。
【請求項２０】
前記少なくとも１つのプロセッサは、
前記第２の受信ビームに切り替えるより前に、基地局に更新されたＣＳＦレポートをレポートすること
を行うように更に構成される、請求項１８に記載の装置。
【請求項２１】
前記第２の受信ビームについての前記第２の測定は、前にレポートされたチャネル状態フィードバック（ＣＳＦ）または前のダウンリンク割り振りに基づいて、前記現在の構成を使用して行われる、請求項１７に記載の装置。
【請求項２２】
前記ＵＥは、現在のプリコーディング行列インジケータ（ＰＭＩ）および現在のランクインジケータ（ＲＩ）構成に結合された前記第２の受信ビームについての第２の受信ビームチャネル品質インジケータ（ＣＱＩ）が前記現在のサービング受信ビームについての現在のサービング受信ビームＣＱＩより高い品質を有するときに、前記第２の受信ビームに切り替える、請求項１７に記載の装置。
【請求項２３】
前記ＵＥは、前記現在のサービング受信ビームについての前記第１のチャネル品質が前記第２の受信ビームの前記第２のチャネル品質の前記閾値内にあることに加えて、前記第２の受信ビームについての前記第２の測定値が前記現在のサービング受信ビームについての前記第１の測定値より高い品質を示すときに、前記第２の受信ビームに切り替える、請求項１７に記載の装置。
【請求項２４】
前記第１の測定値および前記第２の測定値は、スペクトル効率メトリックに基づく、請求項１７に記載の装置。
【請求項２５】
トランジェント時間持続時間を最小化するためのユーザ機器（ＵＥ）におけるワイヤレス通信のためのコンピュータ実行可能コードを記憶するコンピュータ可読媒体であって、前記コンピュータ実行可能コードは、
異なるシンボル中の異なる受信ビーム上でチャネル状態情報基準信号（ＣＳＩ−ＲＳ）を受信することと、ここにおいて、少なくとも１つの受信ビームは、現在のサービング受信ビームである、
前記現在のサービング受信ビームについての第１の測定値を、前記異なる受信ビームの中からの第２の受信ビームについての第２の測定値と比較することと、
前記現在のサービング受信ビームについての第１のチャネル品質が前記第２の受信ビームについての第２のチャネル品質の閾値内にあるときに、前記第２の受信ビームに切り替えることと、前記第２のチャネル品質は、現在の構成を使用して測定される、
を行うためのコードを備える、コンピュータ可読媒体。
【請求項２６】
前記第２の受信ビームの前記第２のチャネル品質が前記現在のサービング受信ビームの前記第１のチャネル品質未満である場合、前記第２の受信ビームで取得されたリンクのためのチャネル状態フィードバック（ＣＳＦ）レポーティング機会後に前記第２の受信ビームへの切り替えをスケジュールすることと、
前記第２の受信ビームに切り替えるより前に、基地局に更新されたＣＳＦレポートをレポートすることと
を行うためのコードを更に備える、請求項２５に記載のコンピュータ可読媒体。
【請求項２７】
前記第２の受信ビームについての前記第２の測定は、前にレポートされたチャネル状態フィードバック（ＣＳＦ）または前のダウンリンク割り振りに基づいて、前記現在の構成を使用して行われる、請求項２５に記載のコンピュータ可読媒体。
【請求項２８】
前記ＵＥは、現在のプリコーディング行列インジケータ（ＰＭＩ）および現在のランクインジケータ（ＲＩ）構成に結合された前記第２の受信ビームについての第２の受信ビームチャネル品質インジケータ（ＣＱＩ）が前記現在のサービング受信ビームについての現在のサービング受信ビームＣＱＩより高い品質を有するときに、前記第２の受信ビームに切り替える、請求項２５に記載のコンピュータ可読媒体。
【請求項２９】
前記ＵＥは、前記現在のサービング受信ビームについての前記第１のチャネル品質が前記第２の受信ビームの前記第２のチャネル品質の前記閾値内にあることに加えて、前記第２の受信ビームについての前記第２の測定値が前記現在のサービング受信ビームについての前記第１の測定値より高い品質を示すときに、前記第２の受信ビームに切り替える、請求項２５に記載のコンピュータ可読媒体。
【請求項３０】
前記第１の測定値および前記第２の測定値は、スペクトル効率メトリックに基づく、請求項２５に記載のコンピュータ可読媒体。
【発明の詳細な説明】
【関連出願の相互参照】
【０００１】
[0001]  本願は、「Autonomous Reception Beam Refinement and Tracking」と題され、２０１８年１月２９日に出願された米国仮特許出願第６２／６２３，３１８号、および「Autonomous Reception Beam Refinement and Tracking」と題され、２０１８年１２月２７日に出願された米国特許出願第１６／２３４，３６５号の利益を主張し、それら全体が参照によって本明細書に明確に組み込まれる。
【０００２】
[0002]  
【技術分野】
【０００３】
[0003]  本開示は、一般に通信システムに関し、より詳細には、ワイヤレス通信におけるビーム微調整(beam refinement)に関する。
【背景技術】
【０００４】
[0004]  ワイヤレス通信システムは、電話通信、ビデオ、データ、メッセージング、およびブロードキャストなどの様々な電気通信サービスを提供するために広く展開されている。典型的なワイヤレス通信システムは、利用可能なシステムリソースを共有することによって複数のユーザとの通信をサポートすることが可能な多元接続技術を採用し得る。そのような多元接続技術の例は、符号分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システム、シングルキャリア周波数分割多元接続（ＳＣ−ＦＤＭＡ）システム、および時分割同期符号分割多元接続（ＴＤ−ＳＣＤＭＡ）システムを含む。
【０００５】
[0005]  これら多元接続技術は、異なるワイヤレスデバイスが、都市、国家、地域、更には地球規模で通信することを可能にする共通プロトコルを提供するために、様々な電気通信規格において採用されてきた。実例的な電気通信規格は、５Ｇ新無線（ＮＲ：New Radio）である。５Ｇ ＮＲは、レイテンシ、信頼性、セキュリティ、スケーラビリティ（例えば、モノのインターネット（ＩｏＴ）で）、および他の要件に関連する新しい要件を満たすために、第３世代パートナーシッププロジェクト（３ＧＰＰ（登録商標））によって公表された継続的モバイルブロードバンド進化の一部である。５Ｇ ＮＲのいくつかの態様は、４Ｇロングタームエボリューション（ＬＴＥ（登録商標））規格に基づき得る。更なる改善の必要性が５Ｇ ＮＲ技術において存在する。これら改善はまた、他の多元接続技術およびこれら技術を採用する電気通信規格に適用可能であり得る。
【発明の概要】
【０００６】
[0006]  以下は、１つまたは複数の態様の基本的な理解を提供するために、そのような態様の簡略化された概要を提示する。この概要は、全ての企図された態様の広範な概観ではなく、全ての態様の基幹的要素または重要な要素を識別したり、任意の態様または全ての態様の範囲を叙述したりすることを意図しない。その唯一の目的は、後に提示されるより詳細な説明への前置きとして、簡略化された形式で１つまたは複数の態様のいくつかの概念を提示することである。
【０００７】
[0007]  ワイヤレス通信は、ｍｍＷａｖｅ（ｍｍＷ）通信などにおいて、ビームフォーミングされた送信ビームおよび受信ビームに基づき得る。時の経過とともに、チャネル条件は、送信ビームおよび受信ビームについて変化し得、ビーム微調整が必要になり得る。ユーザ機器（ＵＥ：user equipment）がより良好な特性を有する新しい受信ビームに切り替えることを決定し得る一方で、新しい受信ビームにつなげて使用されるべき（新しい受信ビームのための更新されたチャネル状態フィードバック（ＣＳＦ：Channel State Feedback）に基づく）最適な送信構成を採用する基地局に遅延があり得る。この遅延は、信号劣化またはリンクパフォーマンスにおけるトランジェント（transient）（即ち、一時的な低下）につながり得る。
【０００８】
[0008]  本明細書で提示される態様は、リンクパフォーマンスにおけるトランジェントに起因する劣化を最小化しながら、ＵＥにおける非同期の自律的受信ビーム切り替えを可能にする。本明細書で提示される態様は、ＵＥの自律受信ビーム管理／切り替えが基地局と非同期であるときに、ＵＥと基地局との間の通信を改善できる。
【０００９】
[0009]  本開示のある態様では、ユーザ機器におけるワイヤレス通信のための方法、コンピュータ可読媒体、および装置が提供される。装置は、異なるシンボル中の異なる受信ビーム上でＣＳＩ−ＲＳを受信することと、ここにおいて、少なくとも１つの受信ビームは現在のサービング受信ビームである、  スペクトル効率メトリックおよびＣＳＦ機会に基づいて、異なる受信ビームに切り替えるかどうかを決定することとを行う。このことから、ＵＥは、スペクトル効率メトリックに基づいて、および異なる受信ビームへのビーム切り替えについての整合性の考慮事項（consistency considerations）に基づいて、ビームを切り替えるかどうかを決定し得る。装置は、その決定に基づいて、現在のサービング受信ビームから異なる受信ビームに切り替え得、ＵＥが異なる受信ビームに切り替えると決定すると、基地局に更新されたＣＳＦレポートをレポートし得る。
【００１０】
[0010]  本開示の別の態様では、ＵＥにおけるワイヤレス通信のための方法、コンピュータ可読媒体、および装置が提供される。装置は、異なるシンボル中の異なる受信ビーム上でＣＳＩ−ＲＳを受信し、ここにおいて、少なくとも１つの受信ビームは、現在のサービング受信ビームである。装置は、現在のサービング受信ビームについての第１の測定値を、第２の受信ビームについての第２の測定値と比較する。装置は、現在のサービング受信ビームについての第１のチャネル品質が第２の受信ビームについての第２のチャネル品質の閾値内にあるときに、第２の受信ビームに切り替え、第２のチャネル品質は、現在の構成を使用して測定される。装置は、現在のサービング受信ビームから第２の受信ビームへの切り替えが行われる場合にリンクトランジェントが発生することになるかどうかを決定し得る。ＵＥは、異なる受信ビームに切り替え得、リンクトランジェントが予想されるときには、例えば、リンクトランジェント時間持続時間を最小化するために、ＣＳＦレポート機会後に異なる受信ビームへの切り替えをスケジュールし得る。
【００１１】
[0011]  前述の目的および関連する目的の達成のために、１つまたは複数の態様は、以下において十分に説明され、且つ特許請求の範囲で特に指摘される特徴を備える。以下の説明および付属の図面は、１つまたは複数の態様のある特定の例示的な特徴を詳細に記載する。これら特徴は、しかしながら、様々な態様の原理が採用され得る様々な方法のいくつかを示すに過ぎず、この説明は、全てのそのような態様およびそれらの均等物を含むことを意図する。
【図面の簡単な説明】
【００１２】
【図１】ワイヤレス通信システムおよびアクセスネットワークの例を例示する図である。
【図２Ａ】フレーム構造の例を例示する。
【図２Ｂ】サブフレーム内のＤＬチャネルの例を例示する。
【図２Ｃ】第２のフレームの例を例示する。
【図２Ｄ】サブフレーム内のＵＬチャネルの例を例示する。
【図３】アクセスネットワーク中の基地局およびユーザ機器（ＵＥ）の例を例示する図である。
【図４】ＵＥと通信状態にある基地局を例示する図である。
【図５Ａ】ビーム微調整の方法のフローチャートである。
【図５Ｂ】ビーム微調整の方法のフローチャートである。
【図６】ワイヤレス通信の方法のフローチャートである。
【図７】例証的な装置中の異なる手段／コンポーネント間のデータフローを例示する概念的なデータフロー図である。
【図８】処理システムを採用する装置のためのハードウェア実施の例を例示する図である。
【図９】ワイヤレス通信の方法のフローチャートである。
【図１０】例証的な装置中の異なる手段／コンポーネント間のデータフローを例示する概念的なデータフロー図である。
【図１１】処理システムを採用する装置のためのハードウェア実施の例を例示する図である。
【詳細な説明】
【００１３】
[0023]  添付された図面に関連して以下に記載される詳細な説明は、様々な構成の説明として意図され、本明細書で説明される概念が実施され得る唯一の構成を表すことを意図しない。詳細な説明は、様々な概念の完全な理解を提供することを目的とした特定の詳細を含む。しかしながら、これら概念がこれら特定の詳細なしに実施され得ることは当業者にとって明らかであろう。いくつかの事例では、周知の構造およびコンポーネントが、そのような概念を曖昧にすることを避けるためにブロック図形式で示される。
【００１４】
[0024]  ここで、電気通信システムのいくつかの態様が、様々な装置および方法を参照して提示されることになる。これら装置および方法は、以下の詳細な説明において説明され、様々なブロック、コンポーネント、回路、プロセス、アルゴリズム、等（一括して「要素」と呼ばれる）によって添付の図面において例示されることになる。これら要素は、電子ハードウェア、コンピュータソフトウェア、またはそれらの任意の組み合わせを使用して実施され得る。そのような要素がハードウェアとして実施されるか、またはソフトウェアとして実施されるかは、特定のアプリケーションとシステム全体に課せられる設計制約とに依存する。
【００１５】
[0025]  例として、要素、または要素の任意の一部分、または要素の任意の組み合わせは、１つまたは複数のプロセッサを含む「処理システム」として実施され得る。プロセッサの例は、マイクロプロセッサ、マイクロコントローラ、グラフィックス処理ユニット（ＧＰＵ）、中央処理ユニット（ＣＰＵ）、アプリケーションプロセッサ、デジタルシグナルプロセッサ（ＤＳＰ）、縮小命令セットコンピューティング（ＲＩＳＣ）プロセッサ、システムオンチップ（ＳｏＣ）、ベースバンドプロセッサ、フィールドプログラマブルゲートアレイ（ＦＰＧＡ）、プログラマブルロジックデバイス（ＰＬＤ）、ステートマシン、ゲートロジック、ディスクリートハードウェア回路、およびこの開示全体を通じて説明される様々な機能を行うように構成された他の適したハードウェアを含む。処理システム中の１つまたは複数のプロセッサは、ソフトウェアを実行し得る。ソフトウェアは、ソフトウェア、ファームウェア、ミドルウェア、マイクロコード、ハードウェア記述言語、またはその他の名称で呼ばれるかにかかわらず、命令、命令セット、コード、コードセグメント、プログラムコード、プログラム、サブプログラム、ソフトウェアコンポーネント、アプリケーション、ソフトウェアアプリケーション、ソフトウェアパッケージ、ルーチン、サブルーチン、オブジェクト、実行ファイル、実行スレッド、プロシージャ、関数、等を意味するように広く解釈されるべきである。
【００１６】
[0026]  従って、１つまたは複数の実例的な実施形態において、説明される機能は、ハードウェア、ソフトウェア、またはそれらの任意の組み合わせで実施され得る。ソフトウェアで実施される場合、機能は、コンピュータ可読媒体上で１つまたは複数の命令またはコードとして記憶または符号化され得る。コンピュータ可読媒体は、コンピュータ記憶媒体を含む。記憶媒体は、コンピュータによってアクセスされ得る任意の利用可能な媒体であり得る。そのようなコンピュータ可読媒体は、限定でなく例として、ランダムアクセスメモリ（ＲＡＭ）、読取専用メモリ（ＲＯＭ）、電気的消去可能プログラマブルＲＯＭ（ＥＥＰＲＯＭ（登録商標））、光ディスク記憶装置、磁気ディスク記憶装置、他の磁気記憶デバイス、前述されたタイプのコンピュータ可読媒体の組み合わせ、またはコンピュータによってアクセスされ得るデータ構造若しくは命令の形式でコンピュータ実行可能コードを記憶するために使用され得る任意の他の媒体を備えることができる。
【００１７】
[0027]  図１は、ワイヤレス通信システムおよびアクセスネットワーク１００の例を例示する図である。（ワイヤレスワイドエリアネットワーク（ＷＷＡＮ）とも呼ばれる）ワイヤレス通信システムは、基地局１０２、ＵＥ１０４、発展型パケットコア（ＥＰＣ）１６０、および別のコアネットワーク（例えば、５Ｇコアネットワーク５ＧＣ）１９０を含む。基地局１０２は、マクロセル（高電力セルラ基地局）および／またはスモールセル（低電力セルラ基地局）を含み得る。マクロセルは、基地局を含む。スモールセルは、フェムトセル、ピコセル、およびマイクロセルを含む。
【００１８】
[0028]  （発展型ユニバーサルモバイル電気通信システム（ＵＭＴＳ）地上無線アクセスネットワーク（Ｅ−ＵＴＲＡＮ）と一括して呼ばれる）４Ｇ ＬＴＥのために構成された基地局１０２は、バックホールリンク１３２（例えば、Ｓ１インターフェース）を通じてＥＰＣ１６０とインターフェースし得る。（次世代ＲＡＮ（ＮＧ−ＲＡＮ）と一括して呼ばれる）５Ｇ ＮＲのために構成された基地局１０２は、バックホールリンク１８４を通じてコアネットワーク１９０とインターフェースし得る。他の機能に加えて、基地局１０２は、以下の機能のうちの１つまたは複数を行い得る：ユーザデータの転送、無線チャネル暗号化および暗号解読、インテグリティ保護、ヘッダ圧縮、モビリティ制御機能（例えば、ハンドオーバ、デュアルコネクティビティ）、セル間干渉協調、接続セットアップおよび解放、負荷バランシング、非アクセス層（ＮＡＳ）メッセージのための分配、ＮＡＳノード選択、同期、無線アクセスネットワーク（ＲＡＮ）共有、マルチメディアブロードキャストマルチキャストサービス（ＭＢＭＳ）、加入者および機器トレース、ＲＡＮ情報管理（ＲＩＭ）、ページング、測位、および警告メッセージの配信。基地局１０２は、バックホールリンク１３４（例えば、Ｘ２インターフェース）を通して互いと直接または間接的に（例えば、ＥＰＣ１６０またはコアネットワーク１９０を通じて）通信し得る。バックホールリンク１３４は、ワイヤードまたはワイヤレスであり得る。
【００１９】
[0029]  基地局１０２は、ＵＥ１０４とワイヤレスに通信し得る。基地局１０２の各々は、それぞれの地理的カバレッジエリア１１０に対して通信カバレッジを提供し得る。重複している地理的カバレッジエリア１１０があり得る。例えば、スモールセル１０２’は、１つまたは複数のマクロ基地局１０２のカバレッジエリア１１０に重複するカバレッジエリア１１０’を有し得る。スモールセルとマクロセルとの両方を含むネットワークは、異種ネットワークとして知られることがある。異種ネットワークはまた、ホーム発展型ノードＢ（ｅＮＢ）（ＨｅＮＢ）を含み得、それは、限定加入者グループ（ＣＳＧ：closed subscriber group）として知られる制限されたグループにサービスを提供し得る。基地局１０２とＵＥ１０４との間の通信リンク１２０は、ＵＥ１０４から基地局１０２への（逆方向リンクとも呼ばれる）アップリンク（ＵＬ）送信および／または基地局１０２からＵＥ１０４への（順方向リンクとも呼ばれる）ダウンリンク（ＤＬ）送信を含み得る。通信リンク１２０は、空間多重化、ビームフォーミング、および／または送信ダイバーシティを含む、多入力多出力（ＭＩＭＯ）アンテナ技術を使用し得る。通信リンクは、１つまたは複数のキャリアを通り得る。基地局１０２／ＵＥ１０４は、各方向への送信のために使用される最大で合計Ｙｘ ＭＨｘ（ｘ個のコンポーネントキャリア）のキャリアアグリゲーションにおいて割り振られるキャリア当たり最大Ｙ ＭＨｚ（例えば、５、１０、１５、２０、１００、４００、等のＭＨｚ）帯域幅のスペクトルを使用し得る。キャリアは、互いに隣接していることも、していないこともある。キャリアの割り振りは、ＤＬおよびＵＬに対して非対称であり得る（例えば、ＵＬに対してよりも多くのまたは少ないキャリアがＤＬに対して割り振られ得る）。コンポーネントキャリアは、１つのプライマリコンポーネントキャリアと１つまたは複数のセカンダリコンポーネントキャリアとを含み得る。プライマリコンポーネントキャリアは、プライマリセル（ＰＣｅｌｌ）と呼ばれ得、セカンダリコンポーネントキャリアは、セカンダリセル（ＳＣｅｌｌ）と呼ばれ得る。
【００２０】
[0030]  ある特定のＵＥ１０４は、デバイス間（Ｄ２Ｄ）通信リンク１５８を使用して互いと通信し得る。Ｄ２Ｄ通信リンク１５８は、ＤＬ／ＵＬ ＷＷＡＮスペクトルを使用し得る。Ｄ２Ｄ通信リンク１５８は、物理サイドリンクブロードキャストチャネル（ＰＳＢＣＨ）、物理サイドリンク発見チャネル（ＰＳＤＣＨ）、物理サイドリンク共有チャネル（ＰＳＳＣＨ）、および物理サイドリンク制御チャネル（ＰＳＣＣＨ）など、１つまたは複数のサイドリンクチャネルを使用し得る。Ｄ２Ｄ通信は、例えば、ＦｌａｓｈＬｉｎＱ、ＷｉＭｅｄｉａ、Ｂｌｕｅｔｏｏｔｈ（登録商標）、ＺｉｇＢｅｅ、ＩＥＥＥ８０２．１１規格に基づくＷｉ−Ｆｉ、ＬＴＥ、またはＮＲなど、多様なワイヤレスＤ２Ｄ通信システムを通り得る。
【００２１】
[0031]  ワイヤレス通信システムは更に、５ＧＨｚの免許不要周波数スペクトル中で通信リンク１５４を介してＷｉ−Ｆｉ局（ＳＴＡ）１５２と通信状態にあるＷｉ−Ｆｉアクセスポイント（ＡＰ）１５０を含み得る。免許不要周波数スペクトル中で通信するとき、ＳＴＡ１５２／ＡＰ１５０は、チャネルが利用可能かどうかを決定するために、通信するより前にクリアチャネル評価（ＣＣＡ）を行い得る。
【００２２】
[0032]  スモールセル１０２’は、免許および／または免許不要周波数スペクトル中で動作し得る。免許不要周波数スペクトル中で動作するとき、スモールセル１０２’は、ＮＲを採用し、Ｗｉ−Ｆｉ ＡＰ１５０によって使用されたのと同じ５ＧＨｚの免許不要周波数スペクトルを使用し得る。免許不要周波数スペクトル中でＮＲを採用するスモールセル１０２’は、アクセスネットワークに対するカバレッジを強化および／またはアクセスネットワークの容量を増大させ得る。
【００２３】
[0033]  基地局１０２は、スモールセル１０２’であれ、ラージセル（例えば、マクロ基地局）であれ、ｅＮＢ、ｇノードＢ（ｇＮＢ）、または他のタイプの基地局を含み得る。ｇＮＢ１８０などのいくつかの基地局は、ＵＥ１０４と通信状態にあるニアミリメートル波（ｍｍＷ）周波数、ｍｍＷ周波数中、および／または従来のサブ６ＧＨｚスペクトル中で動作し得る。ｇＮＢ１８０がｍｍＷまたはニアｍｍＷ周波数で動作するとき、ｇＮＢ１８０は、ｍｍＷ基地局と呼ばれ得る。極極極超短波（ＥＨＦ：Extremely high frequency）は、電磁スペクトル中のＲＦの一部である。ＥＨＦは、３０ＧＨｚ〜３００ＧＨｚの範囲および１ミリメートルと１０ミリメートルとの間の波長を有する。帯域中の電波（Radio waves）は、ミリメートル波と呼ばれ得る。ニアｍｍＷは、１００ミリメートルの波長を有する３ＧＨｚの周波数まで下がって広がり得る。極極超短波（ＳＨＦ：super high frequency）帯域は、３ＧＨｚと３０ＧＨｚとの間に広がり、センチメートル波とも呼ばれる。ｍｍＷ／ニアｍｍＷ無線周波数帯域を使用する通信は、極めて高い経路損失および短い距離を有する。ｍｍＷ基地局１８０は、極めて高い経路損失および短い距離を補償するために、ＵＥ１０４とのビームフォーミング１８２を利用し得る。
【００２４】
[0034]  基地局１８０は、１つまたは複数の送信方向１８２’において、ＵＥ１０４にビームフォーミングされた信号を送信し得る。ＵＥ１０４は、１つまたは複数の受信方向１８２’’において、基地局１８０からビームフォーミングされた信号を受信し得る。ＵＥ１０４はまた、１つまたは複数の送信方向において、基地局１８０にビームフォーミングされた信号を送信し得る。基地局１８０は、１つまたは複数の受信方向において、ＵＥ１０４からビームフォーミングされた信号を受信し得る。基地局１８０／ＵＥ１０４は、基地局１８０／ＵＥ１０４の各々についての最良の受信および送信方向を決定するために、ビームトレーニングを行い得る。基地局１８０についての送信方向および受信方向は、同じであることも、同じでないこともある。ＵＥ１０４についての送信方向および受信方向は、同じであることも、同じでないこともある。
【００２５】
[0035]  ＥＰＣ１６０は、モビリティ管理エンティティ（ＭＭＥ）１６２、他のＭＭＥ１６４、サービングゲートウェイ１６６、マルチメディアブロードキャストマルチキャストサービス（ＭＢＭＳ）ゲートウェイ１６８、ブロードキャストマルチキャストサービスセンター（ＢＭ−ＳＣ）１７０、およびパケットデータネットワーク（ＰＤＮ）ゲートウェイ１７２を含み得る。ＭＭＥ１６２は、ホーム加入者サーバ（ＨＳＳ）１７４と通信状態にあり得る。ＭＭＥ１６２は、ＵＥ１０４とＥＰＣ１６０との間でのシグナリングを処理する制御ノードである。一般に、ＭＭＥ１６２は、ベアラおよび接続管理を提供する。全てのユーザインターネットプロトコル（ＩＰ）パケットは、サービングゲートウェイ１６６を通じて転送され、それ自体は、ＰＤＮゲートウェイ１７２に接続される。ＰＤＮゲートウェイ１７２は、ＵＥ ＩＰアドレス割り振り並びに他の機能を提供する。ＰＤＮゲートウェイ１７２およびＢＭ−ＳＣ１７０は、ＩＰサービス１７６に接続される。ＩＰサービス１７６は、インターネット、イントラネット、ＩＰマルチメディアサブシステム（ＩＭＳ）、ＰＳストリーミングサービス、および／または他のＩＰサービスを含み得る。ＢＭ−ＳＣ１７０は、ＭＢＭＳユーザサービスプロビジョニングおよび配信のための機能を提供し得る。ＢＭ−ＳＣ１７０は、コンテンツプロバイダＭＢＭＳ送信のためのエントリポイントとしての役割を果たし得、公衆陸上モバイルネットワーク（ＰＬＭＮ：public land mobile network）内でＭＢＭＳベアラサービスを認可および開始するために使用され得、ＭＢＭＳ送信をスケジュールするために使用され得る。ＭＢＭＳゲートウェイ１６８は、特定のサービスをブロードキャストするマルチキャストブロードキャスト単一周波数ネットワーク（ＭＢＳＦＮ）エリアに属する基地局１０２にＭＢＭＳトラフィックを分配するために使用され得、セッション管理（開始／停止）と、ｅＭＢＭＳに関連する課金情報（charging information）を収集することとを担い得る。
【００２６】
[0036]  コアネットワーク１９０は、アクセスおよびモビリティ管理機能（ＡＭＦ）１９２、他のＡＭＦ１９３、セッション管理機能（ＳＭＦ）１９４、およびユーザプレーン機能（ＵＰＦ）１９５を含み得る。ＡＭＦ１９２は、統一データ管理（ＵＤＭ：Unified Data Management）１９６と通信状態にあり得る。ＡＭＦ１９２は、ＵＥ１０４とコアネットワーク１９０との間のシグナリングを処理する制御ノードである。一般に、ＡＭＦ１９２は、ＱｏＳフローおよびセッション管理を提供する。全てのユーザインターネットプロトコル（ＩＰ）パケットは、ＵＰＦ１９５を通じて転送される。ＵＰＦ１９５は、ＵＥ ＩＰアドレス割り振り並びに他の機能を提供する。ＵＰＦ１９５は、ＩＰサービス１９７に接続される。ＩＰサービス１９７は、インターネット、イントラネット、ＩＰマルチメディアサブシステム（ＩＭＳ）、ＰＳストリーミングサービス、および／または他のＩＰサービスを含み得る。
【００２７】
[0037]  基地局はまた、ｇＮＢ、ノードＢ、発展型ノードＢ（ｅＮＢ）、アクセスポイント、ベーストランシーバ局、無線基地局、無線トランシーバ、トランシーバ機能、基本サービスセット（ＢＳＳ）、拡張サービスセット（ＥＳＳ）、送受信ポイント（ＴＲＰ）、または何らかの他の適した専門用語で呼ばれ得る。基地局１０２は、ＵＥ１０４に対してＥＰＣ１６０またはコアネットワーク１９０へのアクセスポイントを提供する。ＵＥ１０４の例は、セルラ電話、スマートフォン、セッション開始プロトコル（ＳＩＰ）フォン、ラップトップ、携帯情報端末（ＰＤＡ）、衛星ラジオ、全地球測位システム、マルチメディアデバイス、ビデオデバイス、デジタルオーディオプレーヤ（例えば、ＭＰ３プレーヤ）、カメラ、ゲームコンソール、タブレット、スマートデバイス、ウェアラブルデバイス、ビークル、電気メータ、ガスポンプ、大型若しくは小型キッチンアプライアンス、ヘルスケアデバイス、インプラント、センサ／アクチュエータ、ディスプレイ、または任意の他の同様の機能デバイスを含む。ＵＥ１０４のうちのいくつかは、ＩｏＴデバイス（例えば、パーキングメータ、ガスポンプ、トースタ、ビークル、心臓モニタ、等）と呼ばれ得る。ＵＥ１０４はまた、局、モバイル局、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、または何らかの他の適した専門用語で呼ばれ得る。
【００２８】
[0038]  図１を再び参照すると、ある特定の態様において、ＵＥ１０４は、図４〜８に関連して含む、本明細書で提示される態様に従い、ＵＥ１０４において受信ビームを微調整するように構成された受信ビーム微調整コンポーネント１９８を含み得る。
【００２９】
[0039]  図２Ａは、５Ｇ／ＮＲフレーム構造内の第１のサブフレームの例を例示する図２００である。図２Ｂは、５Ｇ／ＮＲサブフレーム内のＤＬチャネルの例を例示する図２３０である。図２Ｃは、５Ｇ／ＮＲフレーム構造内の第２のサブフレームの例を例示する図２５０である。図２Ｄは、５Ｇ／ＮＲサブフレーム内のＵＬチャネルの例を例示する図２８０である。５Ｇ／ＮＲフレーム構造は、サブキャリアの特定のセット（キャリアシステム帯域幅）について、サブキャリアのセット内のサブフレームがＤＬまたはＵＬのいずれかに専用であるＦＤＤであり得るか、またはサブキャリアの特定のセット（キャリアシステム帯域幅）について、サブキャリアのセット内のサブフレームがＤＬとＵＬとの両方に専用であるＴＤＤであり得る。図２Ａ、図２Ｃによって提供される例では、５Ｇ／ＮＲフレーム構造が、ＴＤＤであると仮定され、サブフレーム４は、スロットフォーマット２８（大部分がＤＬ）で構成され、ここで、ＤはＤＬであり、ＵはＵＬであり、ＸはＤＬ／ＵＬ間での使用のためにフレキシブルであり、サブフレーム３はスロットフォーマット３４（大部分がＵＬ）で構成される。サブフレーム３、４は、それぞれ、スロットフォーマット３４、２８で示されるが、どの特定のサブフレームも、様々な利用可能なスロットフォーマット０〜６１のうちの任意のもので構成され得る。スロットフォーマット０、１、は、それぞれ全てＤＬ、ＵＬである。他のスロットフォーマット２〜６１は、ＤＬ、ＵＬ、およびフレキシブルシンボルの混ぜ合わせを含む。ＵＥは、受信されたスロットフォーマットインジケータ（ＳＦＩ）を通じたスロットフォーマットで(ＤＬ制御情報（ＤＣＩ）を通じて動的に、または無線リソース制御（ＲＲＣ）シグナリングを通じて半静的／静的に）構成される。以下の説明は、ＴＤＤである５Ｇ／ＮＲフレーム構造にも当てはまることに留意されたい。
【００３０】
[0040]  他のワイヤレス通信技術は、異なるフレーム構造および／または異なるチャネルを有し得る。フレーム（１０ｍｓ）は、１０個の等しいサイズのサブフレーム（１ｍｓ）に分割され得る。各サブフレームは、１つまたは複数のタイムスロットを含み得る。サブフレームはまた、ミニスロットを含み得、それらは、７、４、または２つのシンボルを含み得る。各スロットは、スロット構成に依存して、７または１４個のシンボルを含み得る。スロット構成０の場合、各スロットは１４個のシンボルを含み得、スロット構成１の場合、各スロットは７つのシンボルを含み得る。ＤＬ上のシンボルは、サイクリックプレフィックス（ＣＰ）ＯＦＤＭ（ＣＰ−ＯＦＤＭ）シンボルであり得る。ＵＬ上のシンボルは、ＣＰ−ＯＦＤＭシンボル（高スループットシナリオの場合）または離散フーリエ変換（ＤＦＴ）拡散ＯＦＤＭ（ＤＦＴ−ｓ−ＯＦＤＭ）シンボル（シングルキャリア周波数分割多元接続（ＳＣ−ＦＤＭＡ）シンボルとも呼ばれる）（電力制限シナリオの場合、単一ストリーム送信に制限される）であり得る。サブフレーム内のスロットの数は、スロット構成およびヌメロロジに基づく。スロット構成０の場合、異なるヌメロロジμ０〜５は、サブフレーム当たり、それぞれ、１、２、４、８、１６、および３２個のスロットを許容する。スロット構成１の場合、異なるヌメロロジ０〜２は、サブフレーム当たり、それぞれ、２、４、および８つのスロットを許容する。従って、スロット構成０およびヌメロロジμの場合、１４個のシンボル／スロットおよび２μ個のスロット／サブフレームがある。サブキャリア間隔およびシンボル長／持続時間は、ヌメロロジの関数である。サブキャリア間隔は、２μ＊１５ｋＫｚに等しくあり得、ここで、μは、ヌメロロジ０〜５である。そのため、ヌメロロジμ＝０は、１５ｋＨｚのサブキャリア間隔を有し、ヌメロロジμ＝５は、４８０ｋＨｚのサブキャリア間隔を有する。シンボル長／持続時間は、サブキャリア間隔に反比例する。図２Ａ〜２Ｄは、スロット当たり１４個のシンボルを有するスロット構成０、およびサブフレーム当たり１つのスロットを有するヌメロロジμ＝０の例を提供する。サブキャリア間隔は、１５ｋＨｚであり、シンボル持続時間は、約６６．７μｓである。
【００３１】
[0041]  フレーム構造を表すために、リソースグリッドが使用され得る。各タイムスロットは、１２個の連続したサブキャリアを拡張するリソースブロック（ＲＢ）（物理ＲＢ（ＰＲＢ）とも呼ばれる）を含む。リソースグリッドは、複数のリソース要素（ＲＥ）に分割される。各ＲＥによって搬送されるビットの数は、変調スキームに依存する。
【００３２】
[0042]  図２Ａに例示されるように、ＲＥのうちのいくつかは、ＵＥのための基準（パイロット）信号（ＲＳ）を搬送する。ＲＳは、復調ＲＳ（ＤＭ−ＲＳ）（１００ｘがポート番号である１つの特定の構成でＲxとして示されるが、他のＤＭ−ＲＳ構成も可能である）と、ＵＥにおけるチャネル推定のためのチャネル状態情報基準信号（ＣＳＩ−ＲＳ：channel state information reference signal）とを含み得る。ＲＳはまた、ビーム測定ＲＳ（ＢＲＳ）、ビーム微調整ＲＳ（ＢＲＲＳ）、および位相追従ＲＳ（ＰＴ−ＲＳ）を含み得る。
【００３３】
[0043]  図２Ｂは、フレームのサブフレーム内の様々なＤＬチャネルの例を例示する。物理ダウンリンク制御チャネル（ＰＤＣＣＨ）は、１つまたは複数の制御チャネル要素（ＣＣＥ）内のＤＣＩを搬送し、各ＣＣＥは、９つのＲＥグループ（ＲＥＧ）を含み、各ＲＥＧは、ＯＦＤＭシンボル中に４つの連続したＲＥを含む。プライマリ同期信号（ＰＳＳ）は、フレームの特定のサブフレームのシンボル２内にあり得る。ＰＳＳは、サブフレーム／シンボルタイミングおよび物理レイヤアイデンティティを決定するためにＵＥ１０４によって使用される。セカンダリ同期信号（ＰＳＳ）は、フレームの特定のサブフレームのシンボル４内にあり得る。ＳＳＳは、物理レイヤセルアイデンティティグループ番号および無線フレームタイミングを決定するためにＵＥによって使用される。物理レイヤアイデンティティおよび物理レイヤセルアイデンティティグループ番号に基づいて、ＵＥは、物理セル識別子（ＰＣＩ）を決定できる。ＰＣＩに基づいて、ＵＥは、前述されたＤＭ−ＲＳのロケーションを決定できる。マスタ情報ブロック（ＭＩＢ）を搬送する物理ブロードキャストチャネル（ＰＢＣＨ）は、同期信号（ＳＳ）／ＰＢＣＨブロックを形成するために、ＰＳＳおよびＳＳＳと共に論理的にグループ化され得る。ＭＩＢは、システム帯域幅中のＲＢの数、およびシステムフレーム番号（ＳＦＮ）を提供する。物理ダウンリンク共有チャネル（ＰＤＳＣＨ）は、ページングメッセージ、システム情報ブロック（ＳＩＢ）などのＰＢＣＨを通じて送信されないブロードキャストシステム情報、およびユーザデータを搬送する。
【００３４】
[0044]  図２Ｃに例示されるように、ＲＥのうちのいくつかは、基地局におけるチャネル推定のためにＤＭ−ＲＳ（１つの特定の構成でＲとして示されるが、他のＤＭ−ＲＳ構成も可能である）を搬送する。ＵＥは、物理アップリンク制御チャネル（ＰＵＣＣＨ）のためのＤＭ−ＲＳと、物理アップリンク共有チャネル（ＰＵＳＣＨ）のためのＤＭ−ＲＳとを送信し得る。ＰＵＳＣＨ ＤＭ−ＲＳは、ＰＵＳＣＨの最初の１つまたは２つのシンボル中で送信され得る。ＰＵＣＣＨ ＤＭ−ＲＳは、短いまたは長いＰＵＣＣＨが送信されるかどうかに応じて、および使用される特定のＰＵＣＣＨフォーマットに応じて、異なる構成で送信され得る。示されていないが、ＵＥは、サウンディング基準信号（ＳＲＳ）を送信し得る。ＳＲＳは、ＵＬ上の周波数依存スケジューリングを可能にするためのチャネル品質推定のために基地局によって使用され得る。
【００３５】
[0045]  図２Ｄは、フレームのＵＬサブフレーム内の様々なＵＬチャネルの例を例示する。ＰＵＣＣＨは、１つの構成中に示されるようにロケートされ得る。ＰＵＣＣＨは、ＨＡＲＱ ＡＣＫ／ＮＡＣＫフィードバック、ランクインジケータ（ＲＩ：channel state information reference signal）、プリコーディング行列インジケータ（ＰＭＩ：precoding matrix indicator）、チャネル品質インジケータ（ＣＱＩ：channel quality indicator）、およびスケジューリング要求などのアップリンク制御情報（ＵＣＩ：uplink control information）を搬送する。ＰＵＳＣＨは、データを搬送し、加えて、バッファ状態レポート（ＢＳＲ）、電力ヘッドルームレポート（ＰＨＲ）、および／またはＵＣＩを搬送するために使用され得る。
【００３６】
[0046]  図３は、アクセスネットワーク中でＵＥ３５０と通信状態にある基地局３１０のブロック図である。ＤＬでは、ＥＰＣ１６０からのＩＰパケットが、コントローラ／プロセッサ３７５に提供され得る。コントローラ／プロセッサ３７５は、レイヤ３およびレイヤ２の機能を実施する。レイヤ３は、無線リソース制御（ＲＲＣ）レイヤを含み、レイヤ２は、パケットデータコンバージェンスプロトコル（ＰＤＣＰ）レイヤ、無線リンク制御（ＲＬＣ）レイヤ、および媒体アクセス制御（ＭＡＣ）レイヤを含む。コントローラ／プロセッサ３７５は、システム情報（例えば、ＭＩＢ、ＳＩＢ）のブロードキャスティング、ＲＲＣ接続制御（例えば、ＲＲＣ接続ページング、ＲＲＣ接続確立、ＲＲＣ接続修正、およびＲＲＣ接続解放）、無線アクセス技術（ＲＡＴ）間モビリティ、およびＵＥ測定レポーティングのための測定構成に関連付けられたＲＲＣレイヤの機能と、ヘッダ圧縮／解凍、セキュリティ（暗号化、暗号解読、インテグリティ保護、インテグリティ検証）、およびハンドオーバサポート機能に関連付けられたＰＤＣＰレイヤの機能と、上位レイヤパケットデータユニット（ＰＤＵ）の転送、ＡＲＱを通じた誤り訂正、ＲＬＣサービスデータユニット（ＳＤＵ）の連結、セグメント化、およびリアセンブリ、ＲＬＣデータＰＤＵの再セグメント化、およびＲＬＣデータＰＤＵの再順序付けに関連付けられたＲＬＣレイヤの機能と、論理チャネルとトランスポートチャネルとの間でのマッピング、トランスポートブロック（ＴＢ）上へのＭＡＣ ＳＤＵの多重化、ＴＢからのＭＡＣ ＳＤＵの逆多重化、スケジューリング情報レポーティング、ＨＡＲＱを通じた誤り訂正、優先度処理（priority handling）、および論理チャネル優先順位付けに関連付けられたＭＡＣレイヤの機能とを提供する。
【００３７】
[0047]  送信（ＴＸ）プロセッサ３１６および受信（ＲＸ）プロセッサ３７０は、様々な信号処理機能に関連付けられたレイヤ１の機能を実施する。物理（ＰＨＹ）レイヤを含むレイヤ１は、トランスポートチャネル上での誤り検出、トランスポートチャネルの前方誤り訂正（ＦＥＣ）コーディング／復号、インタリービング、レートマッチング、物理チャネル上へのマッピング、物理チャネルの変調／復調、およびＭＩＭＯアンテナ処理を含み得る。ＴＸプロセッサ３１６は、様々な変調スキーム（例えば、２位相偏移変調（ＢＰＳＫ）、４位相偏移変調（ＱＰＳＫ）、Ｍ位相偏移変調（Ｍ−ＰＳＫ）、Ｍ値直交振幅変調（Ｍ−ＱＡＭ））に基づいて信号コンステレーションにマッピングすることを処理する。コーディングおよび変調されたシンボルはその後、並列ストリームに分けられ得る。各ストリームはその後、ＯＦＤＭサブキャリアにマッピングされ、時間および／または周波数ドメイン中で基準信号（例えば、パイロット）と多重化され、その後、逆高速フーリエ変換（ＩＦＦＴ）を使用して共に組み合わされて、時間ドメインＯＦＤＭシンボルストリームを搬送する物理チャネルが生成され得る。ＯＦＤＭストリームは、複数の空間ストリームを生成するために空間的にプリコーディングされる。チャネル推定器３７４からのチャネル推定値は、コーディングおよび変調スキームを決定するために、並びに空間処理のために使用され得る。チャネル推定値は、ＵＥ３５０によって送信されたチャネル条件フィードバックおよび／または基準信号から導出され得る。各空間ストリームはその後、別個の送信機３１８ＴＸを介して異なるアンテナ３２０に供給され得る。各送信機３１８ＴＸは、送信用のそれぞれの空間ストリームでＲＦキャリアを変調し得る。
【００３８】
[0048]  ＵＥ３５０では、各受信機３５４ＲＸが、そのそれぞれのアンテナ３５２を通じて信号を受信する。各受信機３５４ＲＸは、ＲＦキャリア上に変調された情報を復元し、受信（ＲＸ）プロセッサ３５６にその情報を提供する。ＴＸプロセッサ３６８およびＲＸプロセッサ３５６は、様々な信号処理機能に関連付けられたレイヤ１の機能を実施する。ＲＸプロセッサ３５６は、ＵＥ３５０に宛てられた任意の空間ストリームを復元するために、情報に対して空間処理を行い得る。複数の空間ストリームがＵＥ３５０に宛てられる場合、それらは、ＲＸプロセッサ３５６によって組み合わされて単一のＯＦＤＭシンボルストリームにされ得る。ＲＸプロセッサ３５６はその後、高速フーリエ変換（ＦＦＴ）を使用して、時間ドメインから周波数ドメインにＯＦＤＭシンボルストリームを変換する。周波数ドメイン信号は、ＯＦＤＭ信号のサブキャリア毎に別個のＯＦＤＭシンボルストリームを備える。各サブキャリア上のシンボル、および基準信号は、基地局３１０によって送信された最も可能性の高い信号コンステレーションポイントを決定することによって復元および復調される。これらの軟判定は、チャネル推定器３５８によって計算されたチャネル推定値に基づき得る。軟判定はその後、物理チャネル上で基地局３１０によって当初送信されたデータおよび制御信号を復元するために、復号およびデインターリーブされる。データおよび制御信号はその後、レイヤ３およびレイヤ２の機能を実施するコントローラ／プロセッサ３５９に提供される。
【００３９】
[0049]  コントローラ／プロセッサ３５９は、プログラムコードおよびデータを記憶するメモリ３６０と連携されることができる。メモリ３６０は、コンピュータ可読媒体と呼ばれ得る。ＵＬにおいて、コントローラ／プロセッサ３５９は、ＥＰＣ１６０からのＩＰパケットを復元するために、トランスポートチャネルと論理チャネルとの間での逆多重化、パケットのリアセンブリ、暗号解読、ヘッダ解凍、および制御信号処理を提供する。コントローラ／プロセッサ３５９はまた、ＨＡＲＱ動作をサポートするために、ＡＣＫおよび／またはＮＡＣＫプロトコルを使用する誤り検出を担う。ある特定の態様において、ＵＥ３５０は、図４〜８に関連して含む、本明細書で提示される態様に従い、ＵＥ３５０において受信ビームを微調整するように構成された受信ビーム微調整コンポーネント３９８を含み得る。
【００４０】
[0050]  基地局３１０によるＤＬ送信に関連して説明された機能と同様に、コントローラ／プロセッサ３５９は、システム情報（例えば、ＭＩＢ、ＳＩＢ）獲得、ＲＲＣ接続、および測定レポーティングに関連付けられたＲＲＣレイヤの機能と、ヘッダ圧縮／解凍、およびセキュリティ（暗号化、暗号解読、インテグリティ保護、インテグリティ検証）に関連付けられたＰＤＣＰレイヤの機能と、上位レイヤＰＤＵの転送、ＡＲＱを通じた誤り訂正、ＲＬＣ ＳＤＵの連結、セグメント化、およびリアセンブリ、ＲＬＣデータＰＤＵの再セグメント化、およびＲＬＣデータＰＤＵの再順序付けに関連付けられたＲＬＣレイヤの機能と、論理チャネルとトランスポートチャネルとの間でのマッピング、ＴＢ上へのＭＡＣ ＳＤＵの多重化、ＴＢからのＭＡＣ ＳＤＵの逆多重化、スケジューリング情報レポーティング、ＨＡＲＱを通じた誤り訂正、優先度処理、および論理チャネル優先順位付けに関連付けられたＭＡＣレイヤの機能とを提供する。
【００４１】
[0051]  基地局３１０によって送信されたフィードバックまたは基準信号からチャネル推定器３５８によって導出されたチャネル推定値は、適切なコーディングおよび変調スキームを選択するため、および空間処理を容易にするために、ＴＸプロセッサ３６８によって使用され得る。ＴＸプロセッサ３６８によって生成された空間ストリームは、別個の送信機３５４ＴＸを介して異なるアンテナ３５２に供給され得る。各送信機３５４ＴＸは、送信用のそれぞれの空間ストリームでＲＦキャリアを変調し得る。
【００４２】
[0052]  ＵＬ送信は、ＵＥ３５０における受信機機能に関連して説明されたものと同様の形式で基地局３１０において処理される。各受信機３１８ＲＸは、そのそれぞれのアンテナ３２０を通じて信号を受信する。各受信機３１８ＲＸは、ＲＦキャリア上に変調された情報を復元し、ＲＸプロセッサ３７０にその情報を提供する。
【００４３】
[0053]  コントローラ／プロセッサ３７５は、プログラムコードおよびデータを記憶するメモリ３７６と連携されることができる。メモリ３７６は、コンピュータ可読媒体と呼ばれ得る。ＵＬでは、コントローラ／プロセッサ３７５は、ＵＥ３５０からのＩＰパケットを復元するために、トランスポートチャネルと論理チャネルとの間での逆多重化、パケットのリアセンブリ、暗号解読、ヘッダ解凍、制御信号処理を提供する。コントローラ／プロセッサ３７５からのＩＰパケットは、ＥＰＣ１６０に提供され得る。コントローラ／プロセッサ３７５はまた、ＨＡＲＱ動作をサポートするために、ＡＣＫおよび／またはＮＡＣＫプロトコルを使用する誤り検出を担う。
【００４４】
[0054]  図４は、ＵＥ４０４と通信状態にある基地局４０２を例示する図４００である。図４を参照すると、基地局４０２は、方向４０２ａ、４０２ｂ、４０２ｃ、４０２ｄ、４０２ｅ、４０２ｆ、４０２ｇ、４０２ｈのうちの１つまたは複数において、ＵＥ４０４にビームフォーミングされた信号を送信し得る。ＵＥ４０４は、１つまたは複数の受信方向４０４ａ、４０４ｂ、４０４ｃ、４０４ｄにおいて、基地局４０２からビームフォーミングされた信号を受信し得る。ＵＥ４０４はまた、方向４０４ａ〜４０４ｄのうちの１つまたは複数において、基地局４０２にビームフォーミングされた信号を送信し得る。基地局４０２は、受信方向４０２ａ〜４０２ｈのうちの１つまたは複数において、ＵＥ４０４からビームフォーミングされた信号を受信し得る。基地局４０２／ＵＥ４０４は、基地局４０２／ＵＥ４０４の各々についての最良の受信および送信方向を決定するために、ビームトレーニングを行い得る。基地局４０２についての送信方向および受信方向は、同じであることも、同じでないこともある。ＵＥ４０４についての送信方向および受信方向は、同じであることも、同じでないこともある。
【００４５】
[0055]  このことから、図４は、ｍｍＷ通信において、例えば、５Ｇ ＮＲ ｍｍＷ通信において採用され得るような、送信（Ｔｘ）および受信（Ｒｘ）側でのアナログビームフォーミングに依拠する指向性送信を例示する。データ送信は、ＵＥと基地局との間の通信リンクのスループットおよび信頼性を最大化するＴｘビームとＲｘビームとの何らかの組み合わせを使用し得る。図４に例示されるように、基地局は、基地局において選択されたＴｘビームを使用してＵＥに送信し得、ＵＥは、ＵＥにおいて選択されたＲｘビームを使用して送信を受信し得る。同様に、ＵＥからの通信は、ＵＥにおいてＴｘビームを使用して送信され得、基地局においてＲｘビームを使用して基地局によって受信され得る。時間的に効率的で信頼性の高い通信を可能にするために、ＴｘビームとＲｘビームとのこの最適な組み合わせは、適応的に識別および追従される必要があり得る。推定されるＴｘビームとＲｘビームとの最良の推定される組み合わせは、データ送信、例えば、ＰＤＳＣＨのために使用される複合サービングビームになり得る。サービングビーム追従を可能にするために、ＴｘビームおよびＲｘビームは、チャネル状態情報基準信号（ＣＳＩ−ＲＳ）に基づいて、または同期信号ブロック（ＳＳＢ）基準信号に部分的に基づいて、基地局および／またはＵＥによって継続的に再選択および微調整され得、それは、ビーム管理プロシージャのためにシステム中で使用されるように定義され得る。Ｔｘビーム、Ｒｘビーム、またはＴｘビームとＲｘビームとの結合された組み合わせのいずれであれ、より良好なビーム成分が推定されるとき、ビーム切り替えイベントが発生し得る。５Ｇ ＮＲ ｍｍＷ通信におけるビーム管理メカニズムの３つの実例的なカテゴリは、以下を含む：（１）初期粗ＴｘビームおよびＲｘビーム選択並びに代替ＴｘビームおよびＲｘビーム追従、（２）サービングビームのためのＴｘビーム微調整、および（３）サービングビームのためのＲｘビーム微調整。初期粗選択および追従プロシージャは、Ｐ１プロシージャと呼ばれ得る。このタイプのビーム管理は、ＳＳＢおよび／またはＣＳＩ−ＲＳ基準信号に基づいて行われ得る。サービングＴｘビームのためのＴｘビーム微調整プロシージャは、Ｐ２プロシージャと呼ばれ得、そのようなビーム管理は、ＣＳＩ−ＲＳ基準信号に基づき得る。サービングＲｘビームのためのＲｘビーム微調整プロシージャは、Ｐ３プロシージャと呼ばれ得、そのようなビーム管理は、ＣＳＩ−ＲＳ基準信号に基づき得る。
【００４６】
[0056]  Ｐ３プロシージャの下でＵＥにおけるＲｘビーム追従および微調整をサービングするために、ＣＳＩ−ＲＳ割り振りが時々提供され得る。このことから、基地局は、ＵＥがＣＳＩ−ＲＳを使用してＲｘビーム追従および微調整を行うことを可能にするために、ＣＳＩ−ＲＳを送信し得る。ＣＳＩ−ＲＳ割り振りは、周期的、非周期的、または半永続的であり得る。各Ｐ３セッション中に、スロット中のいくつかのＣＳＩ−ＲＳシンボルにわたって同じ割り振られたＣＳＩ−ＲＳリソースが反復され得るが、これらシンボルのうちの各１つに対して、同じＴｘビームおよび同じＣＳＩ−ＲＳリソース構成が保存され得る。これは、ＵＥが、サービングＲｘビームのための最良のＲｘビームを選択するために、いくつかのＲｘビーム仮説（hypotheses）をテストすることを可能にする。ＣＳＩ−ＲＳシンボル反復の数は、基地局によって定義され、ＣＳＩ−ＲＳ割り振り制御情報の一部としてＵＥにシグナリングされ得る。
【００４７】
[0057]  物理チャネルおよびその容量は、Ｔｘおよび／またはＲｘビームの品質が変化し得るように、時間と共に変化する。同様に、ＵＥは、基地局に対して移動し、ビーム品質の変化をもたらし得る。チャネル状態情報（ＣＳＩ）は、ビームの現在のチャネル条件を決定し、リンク適応プロシージャを支援して、ロバストで信頼性の高い通信を維持するために使用され得る。例えば、ＣＳＩは、受信機によって測定されることができ、測定値は、送信機に返送されることができる。例えば、ＵＥは、ＣＳＩを測定し、基地局に測定値を送信し得る。基地局は、チャネル条件が変化したときに、Ｔｘおよび／またはＲｘビームのための最適な送信構成を適応的に決定するために、測定値を使用し得る。ＣＳＩメッセージ中で使用されるパラメータのうちのいくつかは、変調およびコーディングスキーム（ＭＣＳ）インデックスにリンクされているチャネル品質インジケータ（ＣＱＩ）、ランクインジケータ（ＲＩ）、デジタルプリコーディング行列インジケータ、およびプリコーディング行列インジケータ（ＰＭＩ）である。これらパラメータは、最適なデジタルプリコーディング、空間レイヤの数、並びにＴｘ側での送信のために使用されるように推奨された(advised)変調およびコードレートを記述する。これらパラメータ（ＰＭＩ、ＲＩ、およびＣＱＩ）は、ＣＳＩ−ＲＳ論理チャネルを使用するＲｘ側のＵＥによる測定に基づくチャネル状態フィードバック（ＣＳＦ）レポート中で結合され得る。ＵＥは、基地局にＣＳＦレポートを返送できる。ビーム切り替えが行われる度に、チャネル条件が変化した可能性があるので、前のＣＳＦが無効にされる可能性がある。結果として、リンクパフォーマンスは、ビームが切り替えられる時間から、第１の更新されたＣＳＦレポートが、切り替えに続いてＵＥから取得され、ＰＤＳＣＨ送信のために基地局によって採用されるまで、劣化される可能性がある。リンクパフォーマンス劣化は、ＵＥの前のＣＳＦレポートからの知られているＣＳＦと、Ｒｘビームを切り替えるようにＵＥに促した変更されたＣＳＩとの間の不一致に起因し得、基地局とＵＥとの間のデータの通信に悪影響を及ぼし(negatively impact)得る。ビーム切り替えイベントの結果としてのデータ送信に対するこの悪影響(negative impact)は、本明細書ではリンクパフォーマンスにおける「トランジェント」と呼ばれることになる。リンクトランジェントは、基地局が第２の受信ビームへの切り替えについての更新されたＣＳＦ情報を有さない期間中のリンクの品質における一時的な低下を備え得る。ＵＥにおいて使用されるビームと、基地局が依拠するＣＳＦ情報との間のこの不整合は、ＵＥが次のＣＳＦレポート機会において更新されたＣＳＦ情報を提供できるまで、リンクの品質を低減できる。このことから、リンクトランジェントは、ある時間期間にわたって、例えば、ＵＥがビームを切り替えるとき、および基地局がＵＥから更新されたＣＳＦ情報を受信する前に発生する、リンクパフォーマンスにおける悪影響を指す。リンクトランジェント期間は、リンクパフォーマンスにおける悪影響が発生する時間の持続時間、例えば、ＵＥにおけるビーム切り替えから、基地局が更新されたＣＳＦレポートを受信することに基づ���てビーム切り替えに応答することが可能になるまで、を指す。
【００４８】
[0058]  本明細書で提示される態様は、Ｒｘビーム切り替えイベントに続き得るリンクパフォーマンスにおけるトランジェント期間を低減する、ＵＥによる自律的Ｒｘビーム切り替えのためのＰ３ビーム管理プロシージャを可能にする。本明細書で提示されるＲｘビーム微調整プロシージャは、サービングビームスペクトル効率および信頼性を最大化することになる最良のＲｘビームを選択するために、ＵＥがいくつかのＲｘビーム代替案をテストすることを可能にする。よりスペクトル的に効率的なビームを真に選択するために、ビーム選択は、信号受信電力（ＲＳＲＰ）または信号対干渉プラス雑音比（ＳＩＮＲ）測定値のみに基づくのでなく、スペクトル効率メトリック（ＳＰＥＦＦ）に基づき得、それは、ビーム管理プロシージャのための低複雑度代替案として示唆され得る。ＲＳＲＰメトリックを使用してＲｘビームを選択することは、例えば、新しいＲｘビームが前のＲｘビームより著しく高い電力を有するが、ランクインジケータ（ＲＩ）＝１を指示する２つのレイヤ間のより高い空間相関も有するとき、前のＲｘビームと共に利用可能なＲＩ＝２の代わりに、ＲＩ＝１がリンク中で使用されることもたらすことができる。本明細書で提示されるように、Ｒｘビーム選択の精度は、スペクトル効率基準の使用を通じて改善され得る。スペクトル効率はまた、ＣＳＦ評価のためのメトリックとして使用され得る。
【００４９】
[0059]  スペクトル効率は、時間単位当たりの、通信システム中で所与の帯域幅上で送信されることができるデータの量に関連するスペクトルまたは帯域幅単位の使用の尺度である。スペクトル効率は、「ビット／秒／ヘルツ」またはビット／ｓ／Ｈｚの尺度を使用して表現され得る。言い換えれば、それは、ヘルツ単位で帯域幅によって分割されたビット毎秒（ｂｐｓ）の正味データレートとして定義されることができる。正味データレートおよびシンボルレートは、使用可能なペイロードおよび全てのオーバヘッドを含み得る生データレートに関連し得る。このことから、生データレートは、ペイロード＋オーバヘッドに等しくあり得る。正味データレートは、生データレート−オーバヘッドに等しくあり得る。スペクトル効率は、正味データレートまたは生データレート（例えば、ｂｐｓ単位）／チャネル帯域幅（例えば、Ｈｚ単位）に等しくあり得る。これは、ビーム毎のＰＭＩ／ＲＩ仮説を比較するために、およびビームの比較のために決定され得る。
【００５０】
[0060]  ビーム毎のＰＤＳＣＨのための最大の達成可能なＳＰＥＦＦは、ＰＤＳＣＨ送信のためのシステム中で定義された全てのＰＭＩ、ＲＩオプションを与えられて、比較のために推定される。ビーム毎の最大達成可能ＳＰＥＦＦ推定は、以下のステップによって行われる。第１に、ＢＭリソース上でのＮポート割り振りの仮定が行われ得る（Ｎポートは、データ送信のために使用されることができる最大ＲＩ以上である）。例えば、ｍｍＷ通信の場合、最大ＲＩ＝２で、Ｎポートは、少なくとも２ポートに等しくなり、２ポート以下に制限され得る。ＢＭ割り振りに適用されるプリコーディングがないことも仮定されることができる。
【００５１】
[0061]  次に、ＲＩ、ＰＭＩ仮説（ＲＩ、ＰＭＩ仮説は、ＰＤＳＣＨ送信のために使用されることができるものである）毎にＳＰＥＦＦが算出される。ＳＰＥＦＦは、推定されたチャネルにＰＭＩ（ＲＩ）プリコーディング仮定を適用し、その後、ＰＭＩ（ＲＩ）プリコーディング仮定の各１つ毎にＳＰＥＦＦ推定を評価することによって算出され得る。このＳＰＥＦＦ算出は、特定のモデム実施形態を考慮してＰＤＳＣＨのための達成可能なＳＰＥＦＦを予測するために、いくつかの復調関連仮定を使用して行われ得る。
【００５２】
[0062]  その後、各ＲＩ＋ＰＭＩ組み合わせ毎に算出された仮説の各々について行われた算出から最大ＳＰＥＦＦが選択され得る。
【００５３】
[0063]  プロシージャは、テストされた受信ビーム候補毎に反復され得る。受信ビーム候補毎に最大ＳＰＥＦＦが識別されると、ＰＤＳＣＨ ＳＰＥＦＦのための最高の達成可能な推定値を与えるビームが、最良のビームとして識別され得る。このことから、ＳＰＥＦＦは、受信ビームのためのＰＭＩ、ＲＩ仮説を比較し、候補受信ビームの中から最良のビームを識別するための相対的尺度として使用され得る。
【００５４】
[0064]  ＵＥが新しい選択されたＲｘビームのための更新されたＣＳＦを基地局に通信することを可能にするもので、ＵＥに割り振られている結合された完全なＣＳＦレポートが、時々特別なＣＳＩ−ＲＳ割り振りに基づくＲｘビーム微調整セッションの後に続かないことがある。ＣＳＦレポート割り振りの欠如は、更新されたＣＳＦレポートを提供するためのＵＥの次の機会まで、潜在的なリンクトランジェントに悪影響をもたらし得る。次のＣＳＦレポーティング機会は、例えば、非周期的ＣＳＦレポーティングまたは長い周期性を有する周期的レポーティングを伴い、著しく長い時間にわたってスケジュールされないことがある。この時間中、リンク条件は、Ｒｘビーム切り替えが発生した後のＣＳＦの不整合に起因して著しく劣化する可能性がある。従って、ＵＥがより良好なＲｘビームを識別するとき、例えば、ｇＮＢ側で知られている現在の更新されていないＣＳＦが新しい選択されたＲｘビームに関連して使用されることになる場合、（現在のＣＳＦレポート／ＤＬ送信構成から知られている）現在利用可能なＭＣＳと比較して、最大動作ＭＣＳにおけるトランジェントドロップ（transient drop）が予想されることになるかどうかを確認するために、新しいＲｘビームがテストされることができる。ＵＥからの次のＣＳＦレポートまで、基地局は、現在のＲｘビームに最適であった現在のＣＳＦレポートのみを知ることになる。従って、ＵＥが現在のサービングビームから切り替えることを決定する場合、ＵＥが現在のＣＳＦレポートに基づいて新たに選択されたＲｘビームをテストすることによって、リンクに対するトランジェントの悪影響を最小化し得る。加えて、ＵＥは、ＵＥによって完全に制御される形式で、ＣＳＦレポートのタイミングに基づいて最適な時間に（例えば、トランジェント持続時間時間最小化に基づいて）Ｒｘビーム切り替えイベントをスケジュールし得る。例えば、ＵＥは、トランジェント持続時間を低減する形式でＲｘビーム切り替えイベントをスケジュールし得る。Ｐ３セッションに結合された完全なＣＳＦレポートを有することが望ましくあり得るが、これは、基地局の実施形態、等に従って異なり得る。
【００５５】
[0065]  Ｒｘビーム微調整アルゴリズムもまた異なり得る。Ｒｘビーム管理は、基地局との定義され同期されたＲｘビーム切り替えメカニズムなしに、ＵＥによって自律的に行われ得る。このことから、更新されたＣＳＦレポートが新しいＲｘビームとのリンクのために基地局に通信されるときでさえ、ＵＥにおいてＲｘビームを切り替えること、および基地局におけるＰＤＳＣＨ送信のために対応するＣＳＦレポートを同じ事前定義された瞬間に適用することは可能でないことがある。結果として、リンクトランジェントが発生しやすくなる。その深刻度に依存する短時間のトランジェントによってさえ引き起こされ得る最悪の場合のシナリオを予測することは困難であり得る。トランジェント時間中の悪影響は、（更新されたＣＳＦが新しいビームのために採用されることになるときの）長期的なリンクの潜在的な改善と、短いトランジェント時間にわたる予想されるリンク劣化との間のトレードオフを通じて制御され得る。同期されたＲｘビーム切り替えは、トランジェント期間を除去できるが、そのような同期されたＲｘビーム切り替えは、オプションでないことがある。
【００５６】
[0066]  本願は、更新されたＣＳＦがシステムによって採用できるまで、リンク条件におけるトランジェント期間を伴わずに、またはトランジェント期間中の限られた悪影響を伴い、ＳＰＥＦＦメトリックに基づくＲｘビーム選択およびより良好なＲｘビームへの切り替えを可能にするための方法を提供する。
【００５７】
[0067]  図５Ａおよび５Ｂは、ＵＥにおける改善されたＲｘビーム選択を可能にするＰ３ ＣＳＩ−ＲＳ割り振りに基づくＵＥにおける自律的Ｒｘビーム管理のためのアルゴリズムの実例的なフローチャート５００を例示する。図５Ａおよび５Ｂにおけるビーム選択は、基地局（例えば、１０２、１８０、３１０、４０２、７５０）と通信するＵＥ（例えば、ＵＥ１０４、３５０、４０４、装置７０２、７０２’）によって行われ得る。この例は、２つのポートを有するＣＳＩ−ＲＳリソースを想定するが、単一のポートまたは２つのポートオプションが許容され得る。ＮＲ ｍｍＷのためのＰＤＳＣＨプリコーディングは、２ポートコードブックで行われ得る。２ポートの例は、単に原理を例示するために使用され、態様はまた、異なる数のポートに適用され得る。ＵＥがビーム仮説をテストする度に、ＵＥは、現在のサービングＲｘビームをテストし得る。サービングＴｘビームのみが、例えば、組み合わされたＰ２＋Ｐ３プロシージャを伴わずに、Ｐ３割り振りのために基地局によって使用されると仮定され得る。組み合わされたＰ２＋Ｐ３割り振りが使用される場合、提案されるアルゴリズムは、基地局からサービングＴｘビームと共に送信されるＣＳＩ−ＲＳリソースを使用し得る。図５Ａおよび５Ｂの例では、ＣＳＩ−ＲＳリソースの４回の反復がＰ３プロシージャのために割り振られ、従って、４つのＲｘビーム仮説がテストされると仮定される。しかしながら、他の例では、任意の数の反復が仮定され得、対応する数のＲｘビーム仮説がテストされ得る。
【００５８】
[0068]  ＣＳＩ−ＲＳ反復の数、ＣＳＦ割り振り、等などのＰ３パラメータは、例えば、Ｌ１またはＬ２制御シグナリングを介して、基地局からＵＥに割り振られ得る。５０２において、ＵＥは、割り振られたＣＳＩ−ＲＳシンボルの反復を受信するために異なるＲｘビームを使用する。テストされたＲｘビームのうちの１つは、現在のサービングＲｘビームである。例えば、第１のＣＳＩ−ＲＳシンボルを受信するために使用される第１のＲｘビームは、現在のサービングＲｘビームであり得る。異なるＲｘビーム仮説は、時間的に異なるＣＳＩ−ＲＳリソース反復の受信のために使用され得る。テストされるＲｘビーム仮説の数は、ＵＥに割り振られるＣＳＩ−ＲＳの反復の数に基づき得る。４回の反復を伴う例では、４つのＲｘビーム仮説がＵＥによってテストされ得、それらのうちの１つは、現在のサービングＲｘビームである。
【００５９】
[0069]  ５０４において、ＵＥは、ステップ５０２からのＲｘビーム仮説の各々について、ＲＩ、ＰＭＩ、ＣＱＩを含む完全なＣＳＦを評価する。完全なＣＳＦおよびその中間結果の全て、例えば、テストされたＰＭＩ＋ＲＩ仮説の各１つについて推定されたＳＰＥＦＦは、ＣＳＩ−ＲＳシンボルの反復毎に評価され得る。
【００６０】
[0070]  ５０６において、ＵＥは、特定のＲｘビーム（Ｒｘ＿ｉｄｘ）のためのチャネルの最大スペクトル効率メトリック（ＳＰＥＦＦ）が現在のサービングＲｘビーム（Ｒｘ＿ｃｕｒｒｅｎｔ）のための最大ＳＰＥＦＦより特定の閾値量、例えば、差分Δだけ大きいかどうかを決定し得る。最大ＳＰＥＦＦは、全てのテストされたＰＭＩ＋ＲＩオプションの中で最大である。Ｒｘ＿ｉｄｘは、インデックスｘ∈［１，．．．ＮｕｍRx_beams]のためのテストされたＲｘビームを示し、ここで、ＮｕｍRx_beamsは、テストされたビームの数を示す。このことから、Ｒｘ＿ｉｄ１が現在のサービングビームＲｘ＿ｃｕｒｒｅｎｔである、４回のＣＳＩ−ＲＳ反復を伴う例では、決定が、テストされた他の受信ビームの各々について、例えば、ビームＲｘ＿ｉｄ２、Ｒｘ＿ｉｄ３、およびＲｘ＿ｉｄ４について行われ得る。Δは、現在のＲｘビームからの最小差分量Δ未満のＳＰＥＦＦ差分を有する潜在的なＲｘビーム切り替えを回避するようにＵＥを導く、ＳＰＥＦＦにおける最小差分（例えば、閾値、ヒステリシス、等）を提供する。このパラメータΔは、Ｒｘビームジッタを回避するのに役立つ。現在のＲｘビームのＳＰＥＦＦからのΔより多くの差分を伴ってより高いＳＰＥＦＦが識別される場合、ＵＥは、５０８に進む。そうでない場合、ＵＥは、Ｒｘビームを切り替えないことを決定し、５０４において、現在のＲｘビームについて既に算出されたＣＳＦ（ＰＭＩ、ＲＩ、ＣＱＩ）をレポートする。ＣＳＦレポートは、現在のサービング（トラフィック）ビームのための完全なＣＳＩフィードバック（ＲＩ，ＰＭＩ，ＣＱＩ）を備え得る。５１０において、ＵＥは、５０８において決定されるように、ＵＥに提供されるＣＳＦレポート割り振りがある場合、基地局に現在のサービングビームのための更新されたＣＳＦを送信する。５０８において決定されるように、Ｐ３割り振りに結合されたＣＳＦレポートがＵＥに提供されない場合、ＵＥは、５１２において、次のＣＳＦレポートの前にリンク適応（ＬＡ）ＣＳＩ−ＲＳリソース割り振りがＵＥに提供されるかどうかを決定する。ＬＡ ＣＳＩ−ＲＳリソースは、現在のサービングビームのためのリンク適応目的のために割り振られたＣＳＩ−ＲＳリソースである。次のＣＳＦレポーティング割り振りの前にＬＡ ＣＳＩ−ＲＳ割り振りが提供されない場合、ＵＥは、５１４において、次のレポートのために現在のＲｘビームのための更新されたＣＳＦレポートを使用する。そうでない場合、ＵＥは、５１６において、現在のＰ３セッションを終了する。
【００６１】
[0071]  ５０６において、少なくとも１つのテストされたＲｘビームについてスペクトル効率条件が満たされる場合、ＵＥは、５１８において、ＵＥのために既にスケジュールされた割り振られたＣＳＦレポートがあるかどうかをチェックし得る。ＣＳＩレポートは、Ｐ３セッションに結合され得ることも、結合されないこともある。ＵＥが、５１８において、ＵＥのために既にスケジュールされた割り振られたＣＳＦレポートがあると決定した場合、ＵＥは、ＵＥが新しく選択されたＲｘビームのための更新されたＣＳＦレポートを送ることが可能になると、Ｒｘビームを切り替えることが可能であり得る。このケースでは、ＵＥは、５２０に続く。
【００６２】
[0072]  ＵＥがＵＥに既に割り振られたＣＳＦレポートを有さない場合、ＵＥは、５２２において、新しいＲｘビームが、基地局に知られている現在のＣＳＦを伴っても、例えば、ＵＥからの新しいＣＳＦレポートを伴わずに、リンクの改善を可能にするかどうかを決定することに進み得る。５２２における決定は、新しいＲｘビームのための更新されたＣＳＦレポートを提供するためのスケジュールされた機会がないので、ＵＥが、前にレポートされたＣＳＦと共に動作し続ける間にＲｘビームを切り替えることの利益があるかどうかをチェックすることを可能にする。
【００６３】
[0073]  ５２２において、ＵＥは、現在のＰＭＩおよび／または現在のＲＩに基づくＲｘビームインデックス（Ｒｘ＿ｉｄｘ＝ｉ）のためのＣＱＩが現在のＲｘビームのための現在のＣＱＩより良好であるかどうか、例えば、ＣＱＩ（Ｒｘ＿ｉｄｘ＝ｉ，ＰＭＩ＿ｃｕｒｒｅｎｔ，ＲＩ＿ｃｕｒｒｅｎｔ）≧ＣＱＩ＿ｃｕｒｒｅｎｔであるかどうかを決定する。ＲＩ＿ｃｕｒｒｅｎｔ、ＰＭＩ＿ｃｕｒｒｅｎｔ、ＣＱＩ＿ｃｕｒｒｅｎｔは、トラフィックビームのための最後のレポートされたＣＳＦ、またはＰＤＳＣＨのために使用される現在の送信構成を示す。５２２における決定において、ＵＥは、ＰＤＳＣＨ送信のために基地局によって使用される現在のＰＭＩおよびＲＩ構成に結合された新しいＲｘビームで達成されることができるＣＱＩまたはＭＣＳを、現在のＣＳＦおよび現在のサービングＲｘビームに結合された現在のＭＣＳ／ＣＱＩと比較する。（現在のＣＳＦに基づく）新しいＲｘビームのためのＣＱＩが現在のサービングＲｘビームのためのＣＱＩより良好である場合、ＵＥは、５２４において、新しいＲｘビームに直ちに切り替え得る。新たに選択されたＲｘビームのためのＣＱＩは、新しいＣＳＦレポートで更に改善され得るが、新たに選択されたＲｘビームは、前のＣＳＦレポートに基づいても改善を提供するであろう。このことから、新しいビームへの切り替えは、トランジェント劣化でなく改善を提供するであろう。５２２における比較は、５０６における基準を満たす最大値をもたらした、即ち、現在のＲｘビームの最大ＳＰＥＦＦ＋Δより高いＳＰＥＦＦを有する、テストされたＲｘビーム毎に行われ得る。複数のＲｘビーム候補が５０６および５２２の両方の条件を満たす場合、５２６において決定されるように、候補の中から最高のＳＰＥＦＦを有するＲｘビームが、５２４において即時ビーム切り替えのために使用され得る。この例では、５２４において、基地局に更新されたＣＳＦレポートを提供するのを待つことなく、新しいＲｘビームへの切り替えが行われることができる。新しいＲｘビームは、対応する新しいＣＳＦレポートで更により良好に機能し得るが、ＵＥは、基地局に既に知られているＣＳＦレポートに基づいても、受信における利益を受けるであろう。
【００６４】
[0074]  ５１８において、ＵＥがＣＳＦレポートのための割り振りを有するとＵＥが決定した場合、ＵＥは、５２０に進む。５２０において、ＵＥは、５０６の基準を満たすテストされた受信ビームＲｘ＿ｉｄｘ毎に、現在のＰＭＩ＋ＲＩに基づくテストされた受信ビームのＣＱＩが現在のＲｘビームのための現在のＣＱＩの閾値量（例えば、Ｔｈｒ）内にあるかどうか、即ち、ＣＱＩ（Ｒｘ＿ｉｄｘ＝ｉ，ＰＭＩ＿ｃｕｒｒｅｎｔ，ＲＩ＿ｃｕｒｒｅｎｔ）≧ＣＱＩ＿ｃｕｒｒｅｎｔ−Ｔｈｒであるかどうかを決定する。閾値量（Ｔｈｒ）は、短いトランジェント期間にわたる許容可能なリンク劣化に対応し得、それは、ＭＣＳインデックスカウントにおいて定義され得る。このパラメータＴｈｒは、ロバスト性のために定義され得る。非常に短いトランジェント期間の場合、Ｔｈｒは、無限大またはＭＣＳテーブルからの最大ＭＣＳインデックスにさえ設定されることができる。閾値Ｔｈｒは、例えば、最も近い完全なＣＳＦレポートがＰＤＳＣＨ送信のために基地局によって直ちに採用されることになるシナリオおよび／または確率に応じて、Ｐ３セッション毎にカスタマイズされることができる。
【００６５】
[0075]  ５２０において決定を行うために、ＵＥは、ＵＥがＣＳＦレポートのための次回の割り振りを有すると既に決定している。このことから、ＵＥは、新しい選択されたＲｘビームのための更新されたＣＳＦレポートを提供するための機会を有することになる。しかしながら、同期されたＲｘビーム切り替えメカニズムが利用可能でないので、短いトランジェント期間の可能性が高い。５２０における決定は、５２２において行われた決定と同様の不等式においてＴｈｒを使用することによってトランジェントの深刻度(severity)を制限する。ＵＬにおけるＵＥによるＣＳＦレポート送信の瞬間から、ＤＬにおけるＰＤＳＣＨ割り振りのための基地局による完全な採用までの、ＣＳＦのための非常に短いターンアラウンド時間があるとき、閾値Ｔｈｒは、より大きくなり得る。このことから、閾値は、次のＣＳＦレポートまでの時間との関係性を有し得る。５２０において使用されるこの閾値は、例えば、最悪の場合のシナリオにおいてロバスト性を提供する。より長いターンアラウンド時間を伴う状況において、Ｔｈｒは、より低くなり得、ＣＳＦ割り振りがより近いとき、Ｔｈｒは、より高くなり得る。５２０において、並びに５０６において、少なくとも１つのビーム候補が条件を満たすとき、ＵＥは、５２８に進む。５２０および５０６における条件が１つより多くのＲｘビーム候補について満たされるとき、ＵＥは、５３４において、最高のＳＰＥＦＦを有するＲｘビーム候補を、選択される新しいＲｘビーム候補になるように選択し得る。
【００６６】
[0076]  ５３４において新しいＲｘビームが選択されると、５２０における決定に続いて、ＵＥは、最適な時間に新しく選択されたＲｘビームに切り替えるために、および／またはＵＥにおけるビーム切り替えと基地局におけるこの新しいＲｘビームのための更新されたＣＳＦの受信との間の時間を最小化するために、追加の決定を行う。５２８において、ＵＥが完全なＣＳＦレポートの割り振りを有するとき、ＵＥは、ＣＳＦレポート割り振りがＰ３セッションに結合されるか否かを決定し得る。この決定は、ＵＥが新しいビームに切り替えるためのタイミングを決定するのに役立ち得る。５３０に例示されるように、割り振られたＣＳＦレポートがＰ３セッションに結合されるとき、異なる受信ビームのための更新されたＣＳＦレポートは、例えば、５３２において、異なるＲｘビームに切り替えるより前にＵＥによって送信され得る。
【００６７】
[0077]  ＵＥが、５２８において、割り振られたＣＳＦレポートがＰ３セッションに結合されていないと決定する場合、ＵＥは、５３６において、割り振られたＬＡ ＣＳＩ−ＲＳリソースが次の割り振られたＣＳＦレポートの前にあるかどうかを決定し得る。そうでない場合、ＵＥは、５４０において、次のＣＳＩ−ＲＳリソース割り振りの前に、例えば、最も近いレポーティング時間に、基地局に新しいビームのための更新されたＣＳＦをレポートし得る。その後、更新されたＣＳＦレポートに続いて、ＵＥは、５４２において、新しいＲｘビームに切り替え得る。ＵＥは、例えば、更新ＣＳＦレポートに続く次のスロット上で、新しいＲｘビームに切り替え得る。
【００６８】
[0078]  ５３６において決定されるように、ＵＥがＣＳＦレポーティングスロットの前にＬＡ ＣＳＩ−ＲＳリソースのための第１の割り振りを有する場合、ＵＥは、５３８において、例えば、割り振られたＬＡ ＣＳＩ−ＲＳリソースの直前に、例えば、次のＣＳＩ−ＲＳ受信の直前に、新しいＲｘビームに切り替え得る。このことから、このリソースに基づいて評価されることになるＣＳＦレポートは、変更されたＲｘビームを考慮に入れ、その後、最も近いレポーティングスロット上でレポートされることになる。
【００６９】
[0079]  ５０６における条件を満たした新しいＲｘビームのいずれも５２０における条件を満たさない場合、ＵＥは、５０６における条件が満たされないときと同様に、新しいＲｘビームに切り替えることを控え、５０８および５１２における決定に進む。
【００７０】
[0080]  ５１８において決定されるように、Ｐ３割り振りが取得されたときにＵＥが割り振られたＣＳＦレポーティングスロットを受信しなかったとき、および５０６における条件を満たした新しいＲｘビームのいずれもまた５２２における条件を満たさないとき、ＵＥは、将来の割り振りのために追加の時間量を待つことを望み得る。そのような将来の割り振りは、ＵＥのためにスケジュールされ得、スケジュールされると、ＵＥは、短いトランジェント時間持続時間があることになるという知識で新しいＲｘビームに切り替えることを決定し得る。このことから、ＵＥは、５４４において、現在のＰＭＩおよび現在のＲＩに基づくＲＸビーム候補のためのＣＱＩ（Ｒｘ＿ｉｄｘ＝ｉ）が閾値量を上回る量だけ現在のビームのＣＱＩより良好であるかどうか、例えば、５２０における決定と同様に、ＣＱＩ（Ｒｘ＿ｉｄｘ＝ｉ，ＰＭＩ＿ｃｕｒｒｅｎｔ，ＲＩ＿ｃｕｒｒｅｎｔ）≧ＣＱＩ＿ｃｕｒｒｅｎｔ−Ｔｈｒであるかどうかを決定し得る。５４４における決定のための閾値Ｔｈｒは、５２０において使用される閾値Ｔｈｒと異なり得るか、または同じであり得る。５４４における条件が満たされない場合、ＵＥは、５５５において、プロセスを終了し得る。５４４および５０６における条件が１つより多くのＲｘビーム候補について満たされるとき、ＵＥは、５４６において、最高のＳＰＥＦＦを有するＲｘビーム候補を、選択されるＲｘビーム候補になるように選択し得る。
【００７１】
[0081]  新しいＲｘビームが選択されると、５４４であるか５４６であるかにかかわらず、ＵＥは、５４８において、時間量Ｔに達するまで、割り振られたＣＳＦレポーティングスロットを待ち得る。Ｔは、Ｒｘビーム切り替え決定エージング（Rx beam switching decision aging）のために定義された時間期間であり得、例えば、スロットの単位数で定義され得る。ＵＥがＣＳＦレポート割り振りを受信することなく、５５０において決定されるように、時間量Ｔが経過する場合、５５２において、ＵＥは、待機を終了する。ＵＥは、５０２において、またはいくつかのシナリオでは、他の利用可能なパイロットに基づいてＲｘビーム選択に揃えるために新しいテストを行い得る（周期的に割り振られるＳＳＢは、トランジェント深刻度を制御すること、および／またはＳＰＥＦＦ基準に基づいてＲｘビームを選択することが不可能なケースにおいて良好な候補であり得る）。このタイムアウトは、Ｒｘビーム切り替え決定のエージングを回避するのに役立ち得、非周期的ＣＳＩ−ＲＳ割り振りおよびＣＳＦレポーティングの状況において重要であり得る。５３６において決定されるように、タイムアウトに達する前にＣＳＦレポーティング割り振りが取得される場合、ＵＥは、上記で説明されたように、５３８、５４０、および５４２に従って、Ｒｘビームを切り替え、新しいＲｘビームのための更新されたＣＳＦをレポートし得る。
【００７２】
[0082]  本明細書で提示される態様によるビーム切り替えは、ＵＥが、最も近いＣＳＦ更新の後にリンク条件において保証された改善を有するＳＰＥＦＦ基準に基づいて最良のＲｘビーム選択を行うことを可能にし得る。態様は、ＣＳＦ更新ターンアラウンド時間中の非同期の自律的Ｒｘビーム切り替えのケースにおいて、回避または制限された制御されたリンクトランジェント劣化のためのメカニズムを提供し得る。態様はまた、異なるＣＳＦレポーティングおよびＣＳＩ−ＲＳリソース割り振りシナリオのためのＲｘビーム切り替えに続くリンクトランジェント時間を最小化し得る。本明細書で提示される態様は、ＲｘビームジッタおよびＲｘビーム選択決定のエージングを回避しながら、最適なＲｘビーム切り替えタイミングを提供し得る。
【００７３】
[0083]  図６は、ワイヤレス通信の方法のフローチャート６００である。方法は、基地局（例えば、１０２、１８０、３１０、４０２、７５０）と通信するＵＥ（例えば、ＵＥ１０４、３５０、４０４、装置７０２、７０２’）によって行われ得る。ワイヤレス通信は、ｍｍＷベースの通信、例えば、５Ｇ／ＮＲ通信を備え得る。方法は、図５Ａおよび５Ｂに例示された実例的なアルゴリズムに基づき得る。方法は、受信ビームジッタを回避し、リンクトランジェント期間を低減する改善された受信ビーム切り替えを提供する。リンクトランジェントは、基地局が第２の受信ビームのための更新されたＣＳＦ情報を有さない期間中のリンクの品質における一時的な低下を指し得る。ＵＥにおいて使用される新しいビームと、基地局が依拠する前のＣＳＦ情報との間のこの不整合は、ＵＥが次のＣＳＦレポート機会において更新されたＣＳＦ情報を提供できるまで、リンクの品質を低減する可能性がある。このことから、リンクトランジェントは、ある時間期間にわたって、例えば、ＵＥがビームを切り替えるとき、および基地局がＵＥから更新されたＣＳＦ情報を受信する前に発生する、リンクパフォーマンスにおける悪影響を指す。リンクトランジェント期間またはトランジェント期間は、リンクパフォーマンスにおける悪影響が発生する時間の持続時間、例えば、ＵＥにおけるビーム切り替えから、ＵＥが基地局に新しいビームのための更新されたＣＳＦレポートを送ることが可能になるまで、を指す。
【００７４】
[0084]  ６０２において、ＵＥは、例えば、図５Ａにおける５０２および５０４に関連して説明されたように、異なるシンボル中の異なる受信ビーム上でＣＳＩ−ＲＳを受信し、ここにおいて、少なくとも１つの受信ビームは、現在のサービング受信ビームである。ＵＥは、例えば、図５Ａにおける５０４に関連して説明されたように、候補受信ビームのための各ＣＳＩ−ＲＳシンボルのための複数のＰＭＩおよびＲＩ仮説の各々のためのスペクトル効率を推定し得る。
【００７５】
[0085]  ６０４において、ＵＥは、異なる受信ビーム、例えば、ＲＸ＿ｉｄｘのためのスペクトル効率メトリック、例えば、ＳＰＥＦＦに基づいて、異なる受信ビームに切り替えるかどうかを決定する。決定はまた、第２の受信ビームのためのトランジェントリンク持続時間を考慮するために、現在のサービング受信ビーム、例えば、Ｒｘ＿ｃｕｒｒｅｎｔのスペクトル効率、およびＣＳＦ整合性に基づき得る。例えば、決定は、ＵＥに割り振られた次回のＣＳＦがあるかどうか、ＣＳＦ割り振りのタイミング、ＣＳＦ割り振りまでの時間、などのＣＳＦ機会に例えば基づき得るもので、ＵＥが第２の受信ビームのためのＣＳＦ情報と、前のＣＳＦからの基地局によって知られている、例えば第１のビームのためのＣＳＦ情報との差分を考慮するようにできる。決定は、例えば、図５Ａおよび５Ｂに関連して説明された態様に基づき得る。
【００７６】
[0086]  ６０６において、ＵＥがこのＲｘビームを切り替えることを決定したとき、ＵＥは、基地局に更新された／異なる受信ビームのための更新されたＣＳＦレポートをレポートし得る。ＵＥは、ＵＥがＣＳＦレポートのためのスロットを割り振られると、更新されたＣＳＦレポートのみを提供し得る。基地局は、レポートが新しいＲｘビームを示すのか、または単に現在使用されているＲｘビームのためのＣＳＦ更新を示すのかを知らないことがある。５３０および５４０に例示されるように、異なる受信ビームのための更新されたＣＳＦレポートは、例えば、それぞれ５３２、５４２において、異なるＲｘビームに切り替えるより前にＵＥによって送信され得る。これら２つの例において、ＵＥは、最も近いレポーティングスロット中でＣＳＦをレポートし得、更新されたＣＳＦをレポートした後、次のスロット中で異なるＲｘビームに切り替え得る。５３８に例示される例において、ＵＥは、次のＣＳＩ−ＲＳ受信の直前に、例えば、更新されたＣＳＦレポートを送るより前に、異なるＲｘビームに切り替え得る。５２４に例示される例において、ＵＥは、例えば、更新されたＣＳＦをレポートするより前に、直ちに異なるＲｘビームに切り替え得る。
【００７７】
[0087]  ＵＥは、６０４において、第２のビームのための最大スペクトル効率が現在のサービングビームのための最大スペクトル効率と比較して閾値を満たすことに少なくとも部分的に基づいて、例えば、図５Ａにおける５０６に関連して説明されたように、ＳＰＥＦＦ＿ｍａｘ（Ｒｘ＿ｉｄｘ）＞ＳＰＥＦＦ＿ｍａｘ（Ｒｘ＿ｃｕｒｒｅｎｔ）＋Δであるとき、現在のサービングビームから第２のビームに切り替えることを決定し得る。閾値は、Ｒｘビームジッタを回避するために、ヒステリシスについて定義され得る。
【００７８】
[0088]  ＵＥが割り振られたＣＳＦレポートを有さないとき、ＵＥは、６０８において、現在のＰＭＩ、ＲＩ構成に結合された第２のビームのためのＣＱＩが、例えば、図５Ａにおける５２２において決定されたように、現在のサービングビームのためのＣＱＩより高い品質を有するとき、第２のビームに切り替え得る。切り替えは、割り振られたＣＳＦレポートを待つことなく、決定を行うと直ちに行われ得る。このシナリオでは、ＤＬリンクトランジェントが、ＵＥ側の自律的非同期Ｒｘビーム切り替えの後に予想されない。
【００７９】
[0089]  新しいＲｘビームと結合された現在のＰＭＩおよびＲＩ構成が、トランジェント期間中に現在のサービングビームのためのＣＱＩより低い動作ＣＱＩを可能にするとき、６０４における切り替えるかどうかの決定は、現在のＰＭＩおよびＲＩ構成に結合された第２のビームのための動作ＣＱＩが、現在のサービングビームのためのＣＱＩより閾値量以下だけ低いかどうか、例えば、ＣＱＩ（Ｒｘ＿ｉｄｘ＝ｉ，ＰＭＩ＿ｃｕｒｒｅｎｔ，ＲＩ＿ｃｕｒｒｅｎｔ）≧ＣＱＩ＿ｃｕｒｒｅｎｔ−Ｔｈｒであるかどうかに更に基づき得る。閾値量は、変調およびコーディングスキーム（ＭＣＳ）およびチャネル品質インジケータ（ＣＱＩ）ユニット中でのビーム切り替えに続くトランジェント時間中の劣化の量を制御するために定義され得、ロバスト性のために定義され得る。このことから、これは、リンクトランジェントの制御された深刻度を有する非同期のＲｘビーム切り替えを提供する。この決定は、５４４に関連して説明された決定に対応し得る。
【００８０】
[0090]  現在のＰＭＩおよびＲＩ構成に結合された第２のビームのための動作ＣＱＩが現在のサービングビームのためのＣＱＩより閾値量を上回る量だけ低いとき、ＵＥは、トランジェント時間中の深刻なリンク劣化を回避するために、第２のビームに切り替えることを控え得る。
【００８１】
[0091]  ＵＥが割り振られたＣＳＦレポーティング機会を依然として有さないとき、および現在のＰＭＩおよびＲＩ構成に結合された第２のビームのためのＣＱＩが現在のサービングビームのためのＣＱＩの品質以上でないとき、ＵＥは、例えば、５４０、５４２、５４８に関連して説明されたように、ＵＥが第２のビームのためのＣＳＦを送信するまで、第２のビームに切り替えることを控え得る。その状況において、５４４における条件は、ホールド（a hold）であり得る。このことから、ＵＥは、６０６においてＣＳＦをレポートした後、６０８において受信のために第２のビームに切り替え得る。このことから、第２の受信ビームへの切り替え時間は、トランジェント持続時間最小化、例えばターゲットトランジェント持続時間最小化に基づいて定義され得る。
【００８２】
[0092]  ＵＥは、例えば、５４８、５５０に関連して説明されたように、更新されたＣＳＦレポートを提供するための次の機会まで第２のビームに切り替えることを控え得る。このことから、ＵＥは、ＵＥが新しい選択されたビームのための更新されたＣＳＦをレポートするための機会を得るようにＣＳＦレポートが割り振られるまで、および受信ビーム切り替えのためのタイマの満了の前に、第２のビームに切り替えることを控え得る。更新されたＣＳＦレポートを提供するための機会があるまで待つことによって、および更新されたＣＳＦレポートがトランジェント時間持続時間最小化／最適Ｒｘビーム切り替えタイミングを提供した後にのみＲｘビームを切り替えることによって。割り振られたレポートを待つことは、Ｒｘビーム決定エージングを引き起こす可能性がある。従って、この待ち時間を所定のタイムアウト閾値に制限するためにタイマが使用され得る。例えば、ＵＥが更新されたＣＳＦレポートを送るための機会を有するまで、ＵＥが第２のビームに切り替えるのを待ち、更新されたＣＳＦレポートを送るための機会までに大量の時間がある場合、新しいビームへの変更は、ＣＳＦレポート機会に達したときにもはや有益でないことがある。タイマは、ＵＥが新しいビームに切り替えてＣＳＦレポートを送るのを待つことを止めるべき時間をＵＥに与える。
【００８３】
[0093]  ユーザ機器が割り振られたＣＳＦレポートを有するとき、６０４において、切り替えるかどうかを決定することは、図５Ａにおける５２０に関連して説明されたように、現在のＰＭＩおよびＲＩ構成に結合された第２のビームのための動作ＣＱＩが、現在のサービングビームのためのＣＱＩより閾値量を上回る量だけ低くないかどうか、例えば、ＣＱＩ（Ｒｘ＿ｉｄｘ＝ｉ，ＰＭＩ＿ｃｕｒｒｅｎｔ，ＲＩ＿ｃｕｒｒｅｎｔ）≧ＣＱＩ＿ｃｕｒｒｅｎｔ−Ｔｈｒであるかどうかを決定することを含み得る。
【００８４】
[0094]  現在のＰＭＩおよびＲＩ構成に結合された第２のビームのためのＣＱＩが現在のサービングビームのためのＣＱＩより閾値量を上回る量だけ低くないとき、ＵＥは、例えば、５３０、５３２に関連して説明されたように、第２のビームのためのＣＳＦをレポートした後、６０８において受信のために第２のビームに切り替え得る。
【００８５】
[0095]  このことから、ＵＥは、ＵＥがトランジェント持続時間を最小化しながらより良好なＲｘビームに切り替えることを可能にする方式で、ＳＰＥＦＦに基づいて受信ビームの非同期の自律的切り替えを行い得る。
【００８６】
[0096]  図７は、例証的な装置７０２中の異なる手段／コンポーネント間のデータフローを例示する概念的なデータフロー図７００である。装置は、ＵＥ（例えば、ＵＥ１０４、３５０、４０４）であり得る。装置は、基地局７５０からダウンリンク通信を受信する受信コンポーネント７０４と、基地局７５０にアップリンク通信を送信する送信コンポーネント７０６とを含む。受信コンポーネントおよび送信コンポーネントは、図４に関連して説明されたように、ビームを使用して通信し得る。装置は、異なるシンボル中の異なる受信ビーム上でＣＳＩ−ＲＳを受信するように構成されたビームテストコンポーネント７０８を受信すること（a receiving）を更に含み得、ここにおいて、少なくとも１つの受信ビームは、現在のサービング受信ビームである。装置は、例えば、図５Ａ、５Ｂ、６、および／または９に関連して説明された態様のうちのいずれかにおいて説明されたように、異なる受信ビームのためのスペクトル効率メトリックまたは他の測定値に基づいて、異なる受信ビームに切り替えるかどうかを決定するように構成されたＲｘビーム管理コンポーネント７１０を含み得る。決定は、現在のサービング受信ビームのためのスペクトル効率に更に基づき得る。
【００８７】
[0097]  ＵＥは、例えば、図５、６、および９に関連して説明された態様のうちのいずれかにおいて説明されたように、Ｒｘビーム管理コンポーネント７１０による決定に基づいて現在のＲｘビームから第２のＲｘビームに切り替えるように構成された切り替えコンポーネント７１２を含み得る。図９に関連して説明されたように、切り替えコンポーネント７１２は、リンクトランジェントが予想されるとき、ＣＳＦレポート機会後まで異なる受信ビームに切り替えるのを待ち得る。
【００８８】
[0098]  装置は、ＵＥが異なる受信ビームに切り替えることを決定したとき、基地局に異なる受信ビームのための更新されたＣＳＦレポートをレポートするように構成されたレポートコンポーネント７１４を含み得る。
【００８９】
[0099]  装置は、図５Ａ、５Ｂ、６、および／または９の前述されたフローチャート中のアルゴリズムのブロックの各々を行う追加のコンポーネントを含み得る。そのため、図５Ａ、５Ｂ、６、および／または９の前述されたフローチャート中の各ブロックは、コンポーネントによって行われ得、装置は、それらのコンポーネントのうちの１つまたは複数を含み得る。コンポーネントは、記載されたプロセス／アルゴリズムを果たすように特に構成された１つまたは複数のハードウェアコンポーネントであり得るか、記載されたプロセス／アルゴリズムを行うように構成されたプロセッサによって実施され得るか、プロセッサによる実施のためにコンピュータ可読媒体内に記憶され得るか、またはそれらの何らかの組み合わせであり得る。
【００９０】
[00100]  図８は、処理システム８１４を採用する装置７０２’のためのハードウェア実施の例を例示する図８００である。処理システム８１４は、一般にバス８２４によって表されるバスアーキテクチャで実施され得る。バス８２４は、処理システム８１４の特定のアプリケーションおよび全体的な設計制約に依存して、任意の数の相互接続バスおよびブリッジを含み得る。バス８２４は、プロセッサ８０４、コンポーネント７０４、７０６、７０８、７１０、７１２、７１４、およびコンピュータ可読媒体／メモリ８０６によって表される、１つまたは複数のプロセッサおよび／またはハードウェアコンポーネントを含む様々な回路を共にリンクする。バス８２４はまた、タイミングソース、周辺機器、電圧レギュレータ、および電力管理回路などの様々な他の回路をリンクし得るが、それらは、当該技術において良く知られており、従って、これ以上は説明されない。
【００９１】
[00101]  処理システム８１４は、トランシーバ８１０に結合され得る。トランシーバ８１０は、１つまたは複数のアンテナ８２０に結合される。トランシーバ８１０は、送信媒体を通して様々な他の装置と通信するための手段を提供する。トランシーバ８１０は、１つまたは複数のアンテナ８２０から信号を受信し、受信された信号から情報を抽出し、抽出された情報を処理システム８１４、具体的には受信コンポーネント７０４に提供する。加えて、トランシーバ８１０は、処理システム８１４、具体的には送信コンポーネント７０６から情報を受信し、受信された情報に基づいて、１つまたは複数のアンテナ８２０に適用されることになる信号を生成する。処理システム８１４は、コンピュータ可読媒体／メモリ８０６に結合されたプロセッサ８０４を含む。プロセッサ８０４は、コンピュータ可読媒体／メモリ８０６上に記憶されたソフトウェアの実行を含む一般の処理を担う。ソフトウェアは、プロセッサ８０４によって実行されると、処理システム８１４に、任意の特定の装置について上記に説明された様々な機能を行わせる。コンピュータ可読媒体／メモリ８０６はまた、ソフトウェアを実行するときにプロセッサ８０４によって操作されるデータを記憶するために使用され得る。処理システム８１４は更に、コンポーネント７０４、７０６、７０８、７１０、７１２、７１４のうちの少なくとも１つを含む。コンポーネントは、プロセッサ８０４において稼働中であり、コンピュータ可読媒体／メモリ８０６中に存在する／記憶されたソフトウェアコンポーネント、プロセッサ８０４に結合された１つまたは複数のハードウェアコンポーネント、またはそれらの何らかの組み合わせであり得る。処理システム８１４は、ＵＥ３５０のコンポーネントであり得、メモリ３６０および／またはＴＸプロセッサ３６８、ＲＸプロセッサ３５６、およびコントローラ／プロセッサ３５９のうちの少なくとも１つを含み得る。
【００９２】
[00102]  一構成において、ワイヤレス通信のための装置７０２／７０２’は、異なるシンボル中の異なる受信ビーム上でＣＳＩ−ＲＳを受信するための手段（例えば、少なくともプロセッサ８０４、メモリ８０６、受信コンポーネント７０４、ビームテストコンポーネントおよび／またはアンテナ８２０、等）と、ここにおいて、少なくとも１つの受信ビームは、現在のサービング受信ビームである、  異なる受信ビームのためのスペクトル効率メトリックまたは他の測定値に基づいて、異なる受信ビームに切り替えるかどうかを決定するための手段（例えば、少なくともプロセッサ８０４、メモリ８０６、および／またはＲｘビーム管理コンポーネント７１０、等）と、  装置が新しい／異なるＲｘビームに切り替えることを決定するとき、基地局に更新されたＣＳＦをレポートするための手段（例えば、少なくともプロセッサ８０４、メモリ８０６、および／またはレポートコンポーネント７１４、送信コンポーネント７０６、等）と、  現在のＲｘビームから第２のＲｘビームに切り替えるための手段（例えば、少なくともプロセッサ８０４、メモリ８０６、および／または切り替えコンポーネント７１２、等）とを含む。前述された手段は、前述された手段によって記載された機能を行うように構成された装置７０２’の処理システム８１４および／または装置７０２の前述されたコンポーネントのうちの１つまたは複数であり得る。上記に説明されたように、処理システム８１４は、ＴＸプロセッサ３６８、ＲＸプロセッサ３５６、およびコントローラ／プロセッサ３５９を含み得る。そのため、一構成において、前述された手段は、前述された手段によって記載された機能を行うように構成されたＴＸプロセッサ３６８、ＲＸプロセッサ３５６、およびコントローラ／プロセッサ３５９であり得る。
【００９３】
[00103]  図９は、トランジェント時間持続時間を最小化するためのＵＥにおけるワイヤレス通信の方法のフローチャート９００である。方法は、基地局（例えば、１０２、１８０、３１０、４０２、７５０）と通信するＵＥ（例えば、ＵＥ１０４、３５０、４０４、装置７０２、７０２’）によって行われ得る。ワイヤレス通信は、ｍｍＷベースの通信、例えば、５Ｇ／ＮＲ通信を備え得る。方法は、図５Ａおよび５Ｂに例示された実例的なアルゴリズムの態様に基づき得る。方法は、ＵＥが、切り替えに基づく潜在的なリンク劣化のトランジェント的持続時間を回避または最小化する形式で、ＵＥによって使用される受信ビームを微調整するのに役立ち得る。
【００９４】
[00104]  ９０２において、ＵＥは、例えば、図４、５Ａ、５Ｂ、および６に関連して説明されたように、異なるシンボル中の異なる受信ビーム上でＣＳＩ−ＲＳを受信し、ここにおいて、少なくとも１つの受信ビームは、現在のサービング受信ビームである。ＣＳＩ−ＲＳは、ＵＥが様々な受信ビームの品質の測定を行うことを可能にするために、基地局によって送信され得る。ＵＥによる測定の各セットは、例えば、測定のための基準として、現在のサービングビームを含み得る。
【００９５】
[00105]  ９０４において、ＵＥは、例えば、図５Ａにおける５０６に関連して説明されたように、現在のサービング受信ビームについての第１の測定値を、異なる受信ビームの中からの第２の受信ビームについての第２の測定値と比較する。測定は、例えば、図５Ａ、５Ｂ、および６に関連して説明されたように、スペクトル効率に基づき得る。しかしながら、測定はまた、スペクトル効率以外の特性に基づき得、例えば、ＲＳＲＰに基づき得る。
【００９６】
[00106]  ＵＥは、その後、リンクトランジェントが発生することになるか、または発生することが予想されるかを決定し得、例えば、第１の受信ビームの第１のチャネル品質が現在のＰＭＩおよび現在のＲＩを使用する第２の受信ビームの閾値内にあるかどうか、例えば、ＣＱＩ（Ｒｘid2、ＰＭＩcurrent、ＲＩcurrent）≧ＣＱＩcurrent−閾値であるかどうかを決定することによって、予想されるリンクトランジェントの深刻度を決定し得る。決定は、例えば、９０４において決定されるように、現在のサービングビームより良好な測定値、例えば、ＳＰＥＦＦを有する全ての候補ビームについて行われ得る。
【００９７】
[00107]  ９１０において、ＵＥは、現在のサービング受信ビームについての第１のチャネル品質が第２の受信ビームについての第２のチャネル品質の閾値内にあるときに、第２の受信ビームに切り替え、第２のチャネル品質は、現在の構成を使用して測定される。例えば、ＵＥは、図５Ａ、５Ｂの５１８、５２０、５２２、または５４４のうちのいずれかに関連して説明されたように、決定を行い得る。ＵＥは、例えば、予想されるＣＱＩ／ＭＣＳ劣化に関して定義され得る構成可能閾値（ＴＨＲ）を上回って認定されたリンクトランジェントが発生することになるかどうかを、前にレポートされたＣＳＦまたは前のダウンリンク割り振りに基づく構成を使用する第２の受信ビームについての第２の測定値に基づいて、例えば、現在のＰＭＩおよびＲＩ構成を使用する第２のビームについての測定値に基づいて決定し得る。ＮＷは、前のＣＳＦレポートに従う(follow)必要がなく、前のダウンリンク割り振りのために異なる構成のＰＭＩ／ＲＩを使用し得るので、ＵＥは、例えば、最後のダウンリンク割り振りのために使用されたＰＭＩ／ＲＩを使用し得る。ここにおいて、ＵＥは、例えば、５２２に関連して説明されたように、第２の測定値が、現在のサービング受信ビームのための現在の受信ビームＣＱＩより高い品質を有する現在のＰＭＩおよび現在のＲＩ構成に結合された第２の受信ビームのための第２の受信ビームＣＱＩを備えるとき、リンクトランジェントは発生しないと決定し得る。リンクトランジェントが発生しない場合、例えば、ＣＱＩ（Ｒｘid2、ＰＭＩcurrent、ＲＩcurrent）≧ＣＱＩcurrentであるとき、ＵＥは、５２４および／または５２６に関連して説明されたように、第２の受信ビームに切り替えることを決定し得る。このことから、９１０において、ＵＥは、現在のサービング受信ビームについての第１のチャネル品質が第２の受信ビームの第２のチャネル品質の閾値内にあることに加えて、第２の受信ビームについての第２の測定値が現在のサービング受信ビームについての第１の測定値より高い品質を示すときに、第２の受信ビームに切り替え得る。
【００９８】
[00108]  ＵＥは、９０４において比較されたように、現在のサービング受信ビームについての第１の測定値と第２の受信ビームについての第２の測定値との比較に基づいて、更に、予期されるリンクトランジェントの深刻度に基づいて、第２の受信ビームに切り替えるかどうかを決定し得る。本明細書で提示される態様は、ＣＳＦレポート割り振りに対する切り替えのタイミングを通じてＲｘビームを切り替えるかどうかを決定するために使用される測定のタイプにかかわらず、トランジェントリンク持続時間最小化を可能にする。
【００９９】
[00109]  リンクトランジェントが予想されるとき、ＵＥは、ＣＳＦレポート機会後まで、異なる受信ビームに切り替えるのを待ち得る。例えば５３０および５３２、５４０および５４２、５４８、等に関連して説明されたように、更新されたＣＳＦレポートを提供するための機会があるまで待つことによって、および更新されたＣＳＦレポートがトランジェント時間持続時間最小化／最適Ｒｘビーム切り替えタイミングを提供した後にのみＲｘビームを切り替えることによって。このことから、９０６において、ＵＥは、第２の受信ビームの第２のチャネル品質が現在のサービング受信ビームの第１のチャネル品質未満である場合、第２の受信ビームで取得されたリンクのためのＣＳＦレポーティング機会後に第２の受信ビームへの切り替えをスケジュールし得る。切り替えを遅延させることによって、ＵＥは、新しいビームに基づいてＣＳＦレポートを送るより前にリンク品質が影響を受ける時間量を低減する。時間の低減は、リンクトランジェント期間の持続時間、例えば、ビーム切り替えからＣＳＦレポートまでの時間期間を低減する。
【０１００】
[00110]  ＵＥは、５３８に関連して説明されたように、ある特定の状況では、例えば、ＣＳＦレポート機会がＵＥに割り振られないとき、ＣＳＦレポート機会を待つことなしに異なる受信ビームに切り替え得る。
【０１０１】
[00111]  ９０８に例示されるように、ＵＥは、基地局に更新されたＣＳＦレポートをレポートし得る。５３０、５４０、等に関連して説明されたように、ＵＥは、５３２および５４２において異なるＲｘビームに切り替えるより前に、更新されたＣＳＦレポートを送信し得る。リンクトランジェントが発生しない場合、ＵＥは、更新されたＣＳＦレポートをレポートするより前に第２の受信ビームに切り替え得る。
【０１０２】
[00112]  ＵＥは、受信ビーム切り替えのためのタイマがＣＳＦレポーティング機会の前に満了する場合、現在のサービング受信ビームを使用し続け得る。タイマは、受信ビーム切り替え決定のエージングを回避するのに役立ち得る。従って、図５Ｂにおける５５０に関連して説明されたように、ＣＳＦレポーティング機会を待つのに費やされる時間を所定のタイムアウト閾値に制限するためにタイマが使用され得る。
【０１０３】
[00113]  このことから、ＵＥは、現在のサービング受信ビームの非同期の自律的切り替えを実行し得る。
【０１０４】
[00114]  図１０は、例証的な装置１００２中の異なる手段／コンポーネント間のデータフローを例示する概念的なデータフロー図１０００である。装置は、ＵＥ（例えば、ＵＥ１０４、３５０、４０４）であり得る。装置は、基地局１０５０からダウンリンク通信を受信する受信コンポーネント１００４と、基地局１０５０にアップリンク通信を送信する送信コンポーネント１００６とを含む。受信コンポーネントおよび送信コンポーネントは、図４に関連して説明されたように、ビームを使用して通信し得る。装置は、例えば、異なるシンボル中の異なる受信ビーム上でＣＳＩ−ＲＳを受信するように構成された測定コンポーネント１００８を受信することを更に含み得、ここにおいて、少なくとも１つの受信ビームは、現在のサービング受信ビームである。装置は、現在のサービング受信ビームについての第１の測定値を異なる受信ビームについての測定値と比較するように構成された比較コンポーネント１０１６を含み得る。装置は、現在のサービング受信ビームから第２の受信ビームへの切り替えが行われる場合にリンクトランジェントが発生することになるかどうか、例えば、現在のサービング受信ビームについての第１のチャネル品質が第２の受信ビームについての第２のチャネル品質の閾値内にあるかどうか、を決定するように構成されたトランジェントコンポーネント１０１８を含み得、第２のチャネル品質は、現在の構成を使用して測定される。決定は、現在のサービングビームより良好な測定値、例えば、ＳＰＥＦＦを有する全ての候補ビームについて行われ得る。装置は、現在のサービング受信ビームについての第１の測定値の比較に基づいて、および／または現在のサービング受信ビームのチャネル品質と第２の受信ビームのチャネル品質とに基づいて、第２の受信ビームに切り替えるかどうかを決定するように構成されたＲｘビーム管理コンポーネント１０１０を含み得る。例えば、Ｒｘビーム管理コンポーネント１０１０は、現在のサービング受信ビームについての第１のチャネル品質が第２の受信ビームについての第２のチャネル品質の閾値内にあるときに、第２の受信ビームに切り替えることを決定し得、第２のチャネル品質は、現在の構成を使用して測定される。Ｒｘビーム管理コンポーネントは、例えば、図５Ａ、５Ｂ、６、および／または９に関連して説明された態様のうちのいずれかにおいて説明されたように、リンクトランジェントが発生するかどうかと、チャネル品質劣化および／または長さの深刻度とに基づき得る。
【０１０５】
[00115]  ＵＥは、例えば、図５Ａ、５Ｂ、６、および／または９に関連して説明された態様のうちのいずれかにおいて説明されたように、Ｒｘビーム管理コンポーネント１０１０による決定に基づいて現在のＲｘビームから第２のＲｘビームに切り替えるように構成された切り替えコンポーネント１０１２を含み得る。切り替えコンポーネント１０１２は、第２の受信ビームの第２のチャネル品質が現在のサービング受信ビームの第１のチャネル品質未満である場合、第２の受信ビームで取得されたリンクのためのＣＳＦレポーティング機会後に第２の受信ビームへの切り替えをスケジュールするように構成され得る。図９に関連して説明されたように、切り替えコンポーネント１０１２は、ＣＱＩ／ＭＣＳ劣化によって定義された構成可能なＴＨＲを上回って認定されたリンクトランジェントが予想されるとき、ＣＳＦレポート機会後まで異なる受信ビームに切り替えるのを待ち得る。
【０１０６】
[00116]  装置は、第２の受信ビームへの切り替えより前に基地局に更新されたＣＳＦレポートをレポートするように構成されたレポートコンポーネント１０１４を含み得る。
【０１０７】
[00117]  装置は、図５Ａ、５Ｂ、６、および９の前述されたフローチャート中のアルゴリズムのブロックの各々を行う追加のコンポーネントを含み得る。そのため、図５Ａ、５Ｂ、６、および９の前述されたフローチャート中の各ブロックは、コンポーネントによって行われ得、装置は、それらのコンポーネントのうちの１つまたは複数を含み得る。コンポーネントは、記載されたプロセス／アルゴリズムを果たすように特に構成された１つまたは複数のハードウェアコンポーネントであり得るか、記載されたプロセス／アルゴリズムを行うように構成されたプロセッサによって実施され得るか、プロセッサによる実施のためにコンピュータ可読媒体内に記憶され得るか、またはそれらの何らかの組み合わせであり得る。
【０１０８】
[00118]  図１１は、処理システム１１１４を採用する装置１００２’のためのハードウェア実施の例を例示する図１１００である。処理システム１１１４は、一般にバス１１２４によって表されるバスアーキテクチャで実施され得る。バス１１２４は、処理システム１１１４の特定のアプリケーションおよび全体的な設計制約に依存して、任意の数の相互接続バスおよびブリッジを含み得る。バス１１２４は、プロセッサ１１０４、コンポーネント１００４、１００６、１００８、１０１０、１０１２、１０１４、１０１６、１０１８、およびコンピュータ可読媒体／メモリ１１０６によって表される、１つまたは複数のプロセッサおよび／またはハードウェアコンポーネントを含む様々な回路を共にリンクする。バス１１２４はまた、タイミングソース、周辺機器、電圧レギュレータ、および電力管理回路などの様々な他の回路をリンクし得るが、それらは、当該技術において良く知られており、従って、これ以上は説明されない。
【０１０９】
[00119]  処理システム１１１４は、トランシーバ１１１０に結合され得る。トランシーバ１１１０は、１つまたは複数のアンテナ１１２０に結合される。トランシーバ１１１０は、送信媒体を通して様々な他の装置と通信するための手段を提供する。トランシーバ１１１０は、１つまたは複数のアンテナ１１２０から信号を受信し、受信された信号から情報を抽出し、抽出された情報を処理システム１１１４、具体的には受信コンポーネント１００４に提供する。加えて、トランシーバ１１１０は、処理システム１１１４、具体的には送信コンポーネント１００６から情報を受信し、受信された情報に基づいて、１つまたは複数のアンテナ１１２０に適用されることになる信号を生成する。処理システム１１１４は、コンピュータ可読媒体／メモリ１１０６に結合されたプロセッサ１１０４を含む。プロセッサ１１０４は、コンピュータ可読媒体／メモリ１１０６上に記憶されたソフトウェアの実行を含む一般の処理を担う。ソフトウェアは、プロセッサ１１０４によって実行されると、処理システム１１１４に、任意の特定の装置について上記に説明された様々な機能を行わせる。コンピュータ可読媒体／メモリ１１０６はまた、ソフトウェアを実行するときにプロセッサ１１０４によって操作されるデータを記憶するために使用され得る。処理システム１１１４は、コンポーネント１００４、１００６、１００８、１０１０、１０１２、１０１４、１０１６、１０１８のうちの少なくとも１つを更に含む。コンポーネントは、プロセッサ１１０４において稼働中であり、コンピュータ可読媒体／メモリ１１０６中に存在する／記憶されたソフトウェアコンポーネント、プロセッサ１１０４に結合された１つまたは複数のハードウェアコンポーネント、またはそれらの何らかの組み合わせであり得る。処理システム１１１４は、ＵＥ３５０のコンポーネントであり得、メモリ３６０および／またはＴＸプロセッサ３６８、ＲＸプロセッサ３５６、およびコントローラ／プロセッサ３５９のうちの少なくとも１つを含み得る。
【０１１０】
[00120]  一構成では、ワイヤレス通信のための装置１００２／１００２’は、異なるシンボル中の異なる受信ビーム上でチャネル状態情報基準信号（ＣＳＩ−ＲＳ）を受信するための手段と、ここにおいて、少なくとも１つの受信ビームは、現在のサービング受信ビームである、  現在のサービング受信ビームについての第１の測定値を、異なる受信ビームの中からの第２の受信ビームについての第２の測定値と比較するための手段と、  現在のサービング受信ビームについての第１のチャネル品質が第２の受信ビームについての第２のチャネル品質の閾値内にあるときに、第２の受信ビームに切り替えるための手段と、第２のチャネル品質は、現在の構成を使用して測定される、  第２の受信ビームの第２のチャネル品質が現在のサービング受信ビームの第１のチャネル品質未満である場合、第２の受信ビームで取得されたリンクのためのＣＳＦレポーティング機会後に第２の受信ビームへの切り替えをスケジュールするための手段と、  第２の受信ビームへの切り替えより前に、基地局に更新されたＣＳＦレポートをレポートするための手段とを含む。前述された手段は、前述された手段によって記載された機能を行うように構成された装置１００２’の処理システム１１１４および／または装置１００２の前述されたコンポーネントのうちの１つまたは複数であり得る。上記に説明されたように、処理システム１１１４は、ＴＸプロセッサ３６８、ＲＸプロセッサ３５６、およびコントローラ／プロセッサ３５９を含み得る。そのため、一構成では、前述された手段は、前述された手段によって記載された機能を行うように構成されたＴＸプロセッサ３６８、ＲＸプロセッサ３５６、およびコントローラ／プロセッサ３５９であり得る。
【０１１１】
[00121]  開示されたプロセス／フローチャート中のブロックの特定の順序または階層は例証的なアプローチの例示であることが理解される。設計の選好に基づいて、プロセス／フローチャート中のブロックの特定の順序または階層は再配列され得ることが理解される。更に、いくつかのブロックは、組み合わされ得るか、または省略され得る。添付の方法の請求項は、サンプルの順序で様々なブロックの要素を提示しており、提示された特定の順序または階層に限定されることを意図しない。
【０１１２】
[00122]  先の説明は、いかなる当業者であっても、本明細書で説明された様々な態様を実施することを可能にするために提供される。これら態様への様々な修正は、当業者にとって容易に明らかとなり、本明細書で定義された包括的な原理は、他の態様に適用され得る。このことから、特許請求の範囲は、本明細書で示された態様に限定されることを意図しないが、特許請求の範囲の文言と一致する全範囲を付与されるべきであり、ここにおいて、単数形での要素への言及は、そうであると具体的に記載されない限り、「１つおよび１つのみ」を意味することを意図せず、むしろ「１つまたは複数」を意味する。「例証的（exemplary）」という用語は、本明細書では「例、事例、または例示としての役割を果たすこと」を意味するように使用される。「例証的」であるとして本明細書で説明されるいずれの態様も、他の態様より好ましいまたは有利であるとして必ずしも解釈されるべきではない。別途具体的に記載されない限り、「いくつかの／いくらかの／何らかの（some）」という用語は、１つまたは複数を指す。「Ａ、Ｂ、またはＣのうちの少なくとも１つ」、「Ａ、Ｂ、またはＣのうちの１つまたは複数」、「Ａ、Ｂ、およびＣのうちの少なくとも１つ」、「Ａ、Ｂ、およびＣのうちの１つまたは複数」、および「Ａ、Ｂ、Ｃ、またはそれらの任意の組み合わせ」などの組み合わせは、Ａ、Ｂ、および／またはＣの任意の組み合わせを含み、複数のＡ、複数のＢ、または複数のＣを含み得る。具体的には、「Ａ、Ｂ、またはＣのうちの少なくとも１つ」、「Ａ、Ｂ、またはＣのうちの１つまたは複数」、「Ａ、Ｂ、およびＣのうちの少なくとも１つ」、「Ａ、Ｂ、およびＣのうちの１つまたは複数」、および「Ａ、Ｂ、Ｃ、またはそれらの任意の組み合わせ」などの組み合わせは、Ａのみ、Ｂのみ、Ｃのみ、ＡとＢ、ＡとＣ、ＢとＣ、またはＡとＢとＣであり得、ここで、任意のそのような組み合わせは、Ａ、Ｂ、またはＣの１つまたは複数のメンバを包含し得る。当業者に知られているか、または後に知られることになる、この開示全体を通じて説明された様々な態様の要素に対する全ての構造的および機能的な同等物は、参照によって本明細書に明確に組み込まれ、特許請求の範囲によって包含されることを意図する。その上、本明細書で開示されたものはいずれも、そのような開示が特許請求の範囲に明示的に記載されているかどうかにかかわらず、公に献呈されることを意図しない。「モジュール」、「メカニズム」、「要素」、「デバイス」、および同様の用語は、「手段」という用語の代用ではないことがある。そのため、要素が「〜のための手段」というフレーズを使用して明確に記載されていない限り、どの請求項の要素もミーンズプラスファンクションとして解釈されるべきではない。
【図１】
2021512540.tif 000003
【図２Ａ】
2021512540.tif 000004
【図２Ｂ】
2021512540.tif 000005
【図２Ｃ】
2021512540.tif 000006
【図２Ｄ】
2021512540.tif 000007
【図３】
2021512540.tif 000008
【図４】
2021512540.tif 000009
【図５Ａ】
2021512540.tif 000010
【図５Ｂ】
2021512540.tif 000011
【図６】
2021512540.tif 000012
【図７】
2021512540.tif 000013
【図８】
2021512540.tif 000014
【図９】
2021512540.tif 000015
【図１０】
2021512540.tif 000016
【図１１】
2021512540.tif 000017
【国際調査報告】
2021512540.tif 000018
2021512540.tif 000019
2021512540.tif 000020